(57)【要約】    【課題】  複数の連動制御に関する設定の作業負担を低減することができる連動制御装置、連動制御システム、連動制御方法及び連動制御プログラムを提供する。    【解決手段】  連動制御装置２０ａは、空調機システム群６０及び鍵群１１０に対してＢＡＣｎｅｔを採用したイーサネット１０経由で少なくとも２以上の連動制御を行う。連動制御装置２０ａは、電子データ入力部２１と、電子データ記憶部２２と、連動元入力部２４とを備える。電子データ入力部２１は、入力命令を受けて、電子データが入力される。電子データは、空調機システム群６０や鍵群１１０のアドレスを指定する。電子データ記憶部２２は、電子データ入力部２１に入力された情報に基づき、電子データを記憶する。連動元入力部２４には、電子データ記憶部２２が記憶している電子データにおける空調機システム群６０及び鍵群１１０のうちいずれかの機器のアドレスを選択させる命令を受けて、連動制御における連動元が入力される。【選択図】        図１
2005110168.tif 000002
【特許請求の範囲】
【請求項１】
複数の機器（６０，７０，１１０）に対してネットワーク（１０，２１０）経由で少なくとも２以上の連動制御を行う連動制御装置（２０，２２０）であって、
前記複数の機器（６０，７０，１１０）のアドレスを指定する電子データを入力させる命令である入力命令を受けて、前記電子データが入力される電子データ入力部（２１）と、
前記電子データ入力部（２１）に入力された情報に基づき、前記電子データを記憶する電子データ記憶部（２２）と、
前記電子データ記憶部（２２）が記憶している前記電子データにおける前記複数の機器（６０，７０，１１０）のうちいずれかの機器の前記アドレスを選択させる命令である選択命令を受けて、前記連動制御における連動元が入力される連動元入力部（２４）と、
を備えた連動制御装置（２０，２２０）。
【請求項２】
前記電子データ記憶部（２２）の内容を参照させる命令である参照命令を受けて、前記電子データ記憶部（２２）における前記電子データの内容を表示画面に表示する電子データ表示部（２３）をさらに備えた、
請求項１に記載の連動制御装置（２０，２２０）。
【請求項３】
前記電子データは、前記複数の機器（６０，７０，１１０）の名称と前記複数の機器（６０，７０，１１０）のアドレスとを対応づける、
請求項１又は２のいずれかに記載の連動制御装置（２０，２２０）。
【請求項４】
前記ネットワーク（１０，２１０）の全部又は一部は、分散制御ネットワークである、
請求項１から３のいずれかに記載の連動制御装置（２０，２２０）。
【請求項５】
前記連動元入力部（２４）に入力された情報に基づき、前記連動制御における前記連動元を記憶する連動情報記憶部（２５）をさらに備えた、
請求項１から４のいずれかに記載の連動制御装置（２０，２２０）。
【請求項６】
前記連動制御における前記連動元の動作を指定させる命令である連動元動作指定命令を受けて、前記連動制御における前記連動元の動作が入力される連動元動作入力部（２６）をさらに備え、
前記連動情報記憶部（２５）は、前記連動元動作入力部（２６）に入力された情報に基づき、前記連動制御における前記連動元の動作を記憶する、
請求項１から５のいずれかに記載の連動制御装置（２０，２２０）。
【請求項７】
前記連動制御における前記連動先を指定させる命令である連動先指定命令を受けて、前記連動制御における前記連動先が入力される連動先入力部（２７）をさらに備え、
前記連動情報記憶部（２５）は、前記連動先入力部（２７）に入力された情報に基づき、前記連動制御における前記連動先を記憶する、
請求項１から６のいずれかに記載の連動制御装置（２０，２２０）。
【請求項８】
前記連動制御における前記連動先の動作を指定させる命令である連動先動作指定命令を受けて、前記連動制御における前記連動先の動作が入力される連動先動作入力部（２８）をさらに備え、
前記連動情報記憶部（２５）は、前記連動先動作入力部（２８）に入力された情報に基づき、前記連動制御における前記連動先の動作を記憶する、
請求項１から７のいずれかに記載の連動制御装置（２０，２２０）。
【請求項９】
前記連動元と前記連動元の動作とを示す入力信号を前記ネットワーク（１０，２１０）経由で受信する受信部（３０，３２，２３０）と、
前記受信部（３０，３２，２３０）が受信した情報に基づき、前記連動先と前記連動先の動作とを決定する決定部（２９）と、
前記決定部（２９）が決定した情報に基づき、前記連動先の動作を前記連動先に指示する出力信号を前記ネットワーク（１０，２１０）経由で送信する送信部（３０，３２，２３０）と、
をさらに備えた、
請求項１から８のいずれかに記載の連動制御装置（２０，２２０）。
【請求項１０】
前記連動元に接続されている第１ネットワーク（１０，２１０）のプロトコルと前記連動先に接続されている第２ネットワーク（１０，２１０）のプロトコルとを相互に変換するプロトコル変換部（３１，２３１）をさらに備えた、
請求項９に記載の連動制御装置（２０，２２０）。
【請求項１１】
請求項１から１０のいずれかに記載の連動制御装置（２０，２２０）と、
前記電子データを記憶している記憶装置（４０，５０，２４０，２５０）と、
前記連動制御装置（２０，２２０）と前記記憶装置（４０，５０，２４０，２５０）と前記連動元と前記連動先とを接続するネットワーク（１０，２１０）と、
を備えた連動制御システム。
【請求項１２】
請求項１から１０のいずれかに記載の連動制御装置（２０，２２０）と、
前記連動制御装置（２０，２２０）と前記連動元と前記連動先とを接続するネットワーク（１０，２１０）と、
を備えた連動制御システム。
【請求項１３】
複数の機器（６０，７０，１１０）に対してネットワーク（１０，２１０）経由で少なくとも２以上の連動制御が行われる連動制御方法であって、
前記複数の機器（６０，７０，１１０）のアドレスが指定されている電子データを入力させる命令である入力命令が受け付けられて、前記電子データが入力される電子データ入力ステップと、
前記電子データ入力ステップにおいて入力された情報に基づき、前記電子データが記憶される電子データ記憶ステップと、
前記電子データ記憶ステップで記憶された前記電子データにおける前記複数の機器（６０，７０，１１０）のうちいずれかの機器の前記アドレスを選択させる命令である選択命令が受け付けられて、前記連動制御における連動元が入力される連動元入力ステップと、
を備えた連動制御方法。
【請求項１４】
複数の機器（６０，７０，１１０）に対してネットワーク（１０，２１０）経由で少なくとも２以上の連動制御をコンピュータに行わせる連動制御プログラムであって、
前記複数の機器（６０，７０，１１０）のアドレスが指定されている電子データを入力させる命令である入力命令が受け付けられて、前記電子データが入力される電子データ入力ステップと、
前記電子データ入力ステップにおいて入力された情報に基づき、前記電子データが記憶される電子データ記憶ステップと、
前記電子データ記憶ステップで記憶された前記電子データにおける前記複数の機器（６０，７０，１１０）のうちいずれかの機器の前記アドレスを選択させる命令である選択命令が受け付けられて、前記連動制御における連動元が入力される連動元入力ステップと、
を備えた連動制御プログラム。
【発明の詳細な説明】
【技術分野】
【０００１】
本発明は、連動制御装置、連動制御システム、連動制御方法及び連動制御プログラムに関する。
【背景技術】
【０００２】
従来から、ＢＡ（Ｂｕｉｌｄｉｎｇ  Ａｕｔｏｍａｔｉｏｎ）やＦＡ（Ｆａｃｔｏｒｙ  Ａｕｔｏｍａｔｉｏｎ）や家庭などにおいて、一方の機器すなわち連動元からの連動元の動作を示す信号に応じて他方の機器すなわち連動先を連動して動作させる連動制御が行われている。この連動制御において、連動元は、連動制御ごとに手動で入力されていた（例えば、特許文献１から３参照。）。あるいは、連動元は、連動制御をコンピュータに行わせるプログラムに、連動制御ごとに書き込まれていた（例えば、特許文献４参照。）。
【特許文献１】特開平５−１４１７５４号公報（第３項、図２）
【特許文献２】特開平５−１４３１１４号公報（第３項、図２）
【特許文献３】特開平５−１４３１１５号公報（第３項、図２）
【特許文献４】特開平１０−７８８０５号公報（第４−６項、図１−４）
【発明の開示】
【発明が解決しようとする課題】
【０００３】
しかし、連動元を連動制御ごとに手動で入力する方法では、連動制御の数が複数である場合に手動での入力が複数回必要なことがあり、連動元の設定作業が繁雑であることがある。また、連動元をプログラムに連動制御ごとに書き込む方法では、プログラムやネットワークに関する高度の知識が必要であることがある。
そこで、本発明の課題は、複数の連動制御に関する設定の作業負担を低減することができる連動制御装置、連動制御システム、連動制御方法及び連動制御プログラムを提供することにある。
【課題を解決するための手段】
【０００４】
請求項１に係る連動制御装置は、複数の機器に対してネットワーク経由で少なくとも２以上の連動制御を行う連動制御装置であって、電子データ入力部と、電子データ記憶部と、連動元入力部とを備える。電子データ入力部には、入力命令を受けて、電子データが入力される。入力命令は、電子データを入力させる命令である。電子データは、複数の機器のアドレスを指定する。電子データ記憶部は、電子データ入力部に入力された情報に基づき、電子データを記憶する。連動元入力部には、選択命令を受けて、連動制御における連動元が入力される。選択命令は、電子データ記憶部が記憶している電子データにおける複数の機器のうちいずれかの機器のアドレスを選択させる命令である。
【０００５】
この連動制御装置では、電子データ入力部に、入力命令を受けて、電子データが入力される。電子データ記憶部は、電子データ入力部から電子データを受け取り、電子データを記憶する。連動元入力部は、選択命令を受けて、電子データ記憶部に記憶されている電子データを参照することができる。連動元入力部に、選択命令により指定された機器が、連動制御における連動元として入力される。
【０００６】
したがって、電子データを記憶することにより電子データを参照することが可能となり、連動元を選択入力することができるため、複数の連動制御に関する設定の作業負担を低減することができる。
なお、電子データは、連動制御装置とは別の場所にあらかじめ入力されたものをネットワーク経由で転送して入力されてもよいし、ネットワークを経由して連動制御装置とは別の場所から連動制御装置に入力されてもよいし、連動制御装置に直接手動で入力されてもよい。連動制御装置に直接手動で入力されるばあいでも、１回の入力で済むことから、複数の連動制御に関する設定の作業負担を低減することができる。また、ネットワークは、１つの方式のネットワークで統一されてもよいし、異なる方式のネットワークが混在してもよい。
【０００７】
請求項２に係る連動制御装置は、請求項１に記載の連動制御装置であって、電子データ表示部をさらに備える。電子データ表示部は、参照命令を受けて、電子データ記憶部における電子データの内容を表示画面に表示する。参照命令は、電子データ記憶部の内容を参照させる命令である。
この連動制御装置では、電子データ表示部は、参照命令を受けて、電子データ記憶部における電子データの内容を表示画面に表示する。表示画面に表示された電子データの内容から、選択命令で選択させる機器のアドレスを決めることができる。連動元入力部は、選択命令を受けて、電子データ記憶部に記憶されている電子データを参照することができる。連動元入力部に、選択命令により指定された機器が、連動制御における連動元として入力される。
【０００８】
したがって、選択命令が選択入力させる候補が表示画面に表示されるので、複数の連動制御に関する設定の作業負担をさらに低減することができる。
請求項３に係る連動制御装置は、請求項１又は２のいずれかに記載の連動制御装置であって、電子データは、複数の機器の名称と複数の機器のアドレスとを対応づける。
この連動制御装置では、電子データは、複数の機器の名称と複数の機器のアドレスとを対応づける。選択命令は、複数の機器のうちいずれかの機器の名称が選択されることにより、電子データ記憶部が記憶している電子データにおける機器のアドレスを選択させることができる。連動元入力部は、選択命令を受けて、電子データ記憶部に記憶されている電子データを参照することができる。連動元入力部に、選択命令により指定された機器が、連動制御における連動元として入力される。
【０００９】
したがって、連動元をアドレスで直接指定することなく名称で指定できるので、複数の連動制御に関する設定の作業負担をさらに低減することができる。
請求項４に係る連動制御装置は、請求項１から３のいずれかに記載の連動制御装置であって、ネットワークの全部又は一部は、分散制御ネットワークである。
ここでは、ネットワークの全部又は一部は、分散制御ネットワークである。電子データ入力部に、入力命令を受けて、電子データが入力される。電子データ記憶部は、電子データ入力部から電子データを受け取り、電子データを記憶する。連動元入力部は、選択命令を受けて、電子データ記憶部に記憶されている電子データを参照することができる。連動元入力部に、選択命令により指定された機器が、連動制御における連動元として入力される。
【００１０】
したがって、分散制御ネットワークの知識が無い場合でも、連動元を選択入力することができるため、複数の連動制御に関する設定の作業負担を低減することができる。
請求項５に係る連動制御装置は、請求項１から４のいずれかに記載の連動制御装置であって、連動情報記憶部をさらに備える。連動情報記憶部は、連動元入力部に入力された情報に基づき、連動制御における連動元を記憶する。
【００１１】
この連動制御装置では、連動元入力部は、選択命令を受けて、電子データ記憶部に記憶されている電子データを参照することができる。連動元入力部に、選択命令により指定された機器が、連動制御における連動元として入力される。連動情報記憶部は、連動元入力部から連動制御における連動元の情報を受け取り、連動制御における連動元を記憶する。
したがって、連動制御ごとに連動元が記憶されているので、複数の連動制御における連動元を明確にすることができる。
【００１２】
請求項６に係る連動制御装置は、請求項１から５のいずれかに記載の連動制御装置であって、連動元動作入力部をさらに備える。連動元動作入力部には、連動元動作指定命令を受けて、連動制御における連動元の動作が入力される。連動元動作指定命令は、連動制御における連動元の動作を指定させる命令である。連動情報記憶部は、連動元動作入力部に入力された情報に基づき、連動制御における連動元の動作を記憶する。
【００１３】
この連動制御装置では、連動元動作入力部に、連動元動作指定命令を受けて、連動元動作指定命令により指定された動作が、連動制御における連動元の動作として入力される。連動情報記憶部は、連動元動作入力部から連動制御における連動元の動作の情報を受け取り、連動制御における連動元の動作を記憶する。
したがって、連動制御ごとに連動元の動作が記憶されているので、複数の連動制御における連動開始の動作を明確にすることができる。
【００１４】
なお、連動元動作指定命令は、連動元の動作の候補が表示画面に表示されて選択されることにより連動元の動作を指定させてもよいし、連動元の動作が直接入力されることにより連動元の動作を指定させてもよい。
請求項７に係る連動制御装置は、請求項１から６のいずれかに記載の連動制御装置であって、連動先入力部をさらに備える。連動先入力部には、連動先指定命令を受けて、連動制御における連動先が入力される。連動先指定命令は、連動制御における連動先を指定させる命令である。連動情報記憶部は、連動先入力部に入力された情報に基づき、連動制御における連動先を記憶する。
【００１５】
この連動制御装置では、連動先入力部に、連動先指定命令を受けて、連動先指定命令により指定された機器が、連動制御における連動先として入力される。連動情報記憶部は、連動先入力部から連動制御における連動先の情報を受け取り、連動制御における連動先を記憶する。
したがって、連動制御ごとに連動先が記憶されているので、複数の連動制御における連動先を明確にすることができる。
【００１６】
なお、連動先指定命令は、連動先が直接入力されることにより連動先を指定させてもよいし、連動先の候補が表示画面に表示されて選択されることにより連動先を指定させてもよい。連動先の候補が表示画面に表示されて選択される場合は、電子データの内容が参照されて連動先の候補が表示画面に表示されてもよいし、電子データとは別のリストが参照されて連動先の候補が表示画面に表示されてもよい。電子データとは別のリストは、連動制御装置に記憶されていてもよいし、連動制御装置とは別の場所に記憶されていてネットワーク経由で参照されてもよい。
【００１７】
請求項８に係る連動制御装置は、請求項１から７のいずれかに記載の連動制御装置であって、連動先動作入力部をさらに備える。連動先動作入力部には、連動先動作指定命令を受けて、連動制御における連動先の動作が入力される。連動先動作指定命令は、連動制御における連動先の動作を指定させる命令である。連動情報記憶部は、連動先動作入力部に入力された情報に基づき、連動制御における連動先の動作を記憶する。
【００１８】
この連動制御装置では、連動先動作入力部に、連動先動作指定命令を受けて、連動先動作指定命令により指定された動作が、連動制御における連動先の動作として入力される。連動情報記憶部は、連動先動作入力部から連動制御における連動先の動作の情報を受け取り、連動制御における連動先の動作を記憶する。
したがって、連動制御ごとに連動先の動作が記憶されているので、複数の連動制御における連動制御の結果としての動作を明確にすることができる。
【００１９】
なお、連動先動作指定命令は、連動先の動作の候補が表示画面に表示されて選択されることにより連動先の動作を指定させてもよいし、連動先の動作が直接入力されることにより連動先の動作を指定させてもよい。
請求項９に係る連動制御装置は、請求項１から８のいずれかに記載の連動制御装置であって、受信部と、決定部と、送信部とをさらに備える。受信部は、入力信号をネットワーク経由で受信する。入力信号は、連動元と連動元の動作とを示す。決定部は、受信部が受信した情報に基づき、連動先と連動先の動作とを決定する。送信部は、決定部が決定した情報に基づき、出力信号をネットワーク経由で送信する。出力信号は、連動先の動作を連動先に指示する。
【００２０】
この連動制御装置では、受信部は、入力信号をネットワーク経由で受信する。決定部は、受信部の受信した入力信号の情報を受け取り、連動情報記憶部を参照し、連動先と連動先の動作とを決定する。送信部は、決定部が決定した連動先と連動先の動作との情報を受け取り、出力信号をネットワーク経由で送信する。
したがって、複数の連動制御をそれぞれ行うことができる。
【００２１】
請求項１０に係る連動制御装置は、請求項９に記載の連動制御装置であって、プロトコル変換部をさらに備える。プロトコル変換部は、第１ネットワークのプロトコルと第２ネットワークのプロトコルとを相互に変換する。第１ネットワークは、連動元に接続されている。第２ネットワークは、連動先に接続されている。
この連動制御装置では、プロトコル変換部は、第１ネットワークのプロトコルと第２ネットワークのプロトコルとを相互に変換する。受信部は、入力信号を第１ネットワーク経由で受信し、プロトコル変換部へ渡す。プロトコル変換部は、入力信号を第１ネットワークのプロトコルから決定部が読める形式へ変換し、入力信号を決定部へ渡す。決定部は、連動情報記憶部を参照し、連動先と連動先の動作とを決定し、連動先と連動先の動作との情報をプロトコル変換部に渡す。プロトコル変換部は、連動先と連動先の動作との情報を決定部が読める形式から第２ネットワークのプロトコルへ変換し、連動先と連動先の動作との情報を送信部へ渡す。送信部は、連動先と連動先の動作との情報を出力信号として第２ネットワーク経由で送信する。
【００２２】
したがって、第１ネットワークの通信方式と第２ネットワークの通信方式とが異なる場合でも、複数の連動制御をそれぞれ行うことができる。
請求項１１に係る連動制御システムは、請求項１から１０のいずれかに記載の連動制御装置と、記憶装置と、ネットワークとを備える。記憶装置は、電子データを記憶している。ネットワークは、連動制御装置と記憶装置と連動元と連動先とを接続する。
【００２３】
この連動制御システムでは、記憶装置は、電子データを記憶している。連動制御装置の電子データ入力部は、入力命令を受けて、記憶装置からネットワーク経由で電子データを取得することができる。これにより、電子データ入力部に、電子データが入力される。連動制御装置の電子データ記憶部は、連動制御装置の電子データ入力部から電子データを受け取り、電子データを記憶する。連動制御装置の連動元入力部は、選択命令を受けて、電子データ記憶部に記憶されている電子データを参照することができる。連動制御装置の連動元入力部に、選択命令により指定された機器が、連動制御における連動元として入力される。連動制御装置は、ネットワーク経由で連動元から情報を受け取り、ネットワーク経由で連動先の動作を連動先に指示することができる。
【００２４】
したがって、連動制御装置の電子データ記憶部で電子データを記憶することにより電子データを参照することが可能となり、連動元を選択入力することができるため、複数の連動制御に関する設定の作業負担を低減することができる。
なお、記憶装置は、複数の機器を管理する管理装置を兼ねてもよいし、管理装置を兼ねなくてもよい。記憶装置が管理装置を兼ねない場合は、ネットワークにさらに管理装置が接続されていてもよい。
【００２５】
請求項１２に係る連動制御システムは、請求項１から１０のいずれかに記載の連動制御装置と、ネットワークとを備える。ネットワークは、連動制御装置と連動元と連動先とを接続する。
この連動制御システムでは、連動制御装置の電子データ入力部に、入力命令を受けて、電子データが直接的に入力される。連動制御装置の電子データ記憶部は、連動制御装置の電子データ入力部から電子データを受け取り、電子データを記憶する。連動制御装置の連動元入力部は、選択命令を受けて、電子データ記憶部に記憶されている電子データを参照することができる。連動制御装置の連動元入力部に、選択命令により指定された機器が、連動制御における連動元として入力される。連動制御装置は、ネットワーク経由で連動元から情報を受け取り、ネットワーク経由で連動先の動作を連動先に指示することができる。
【００２６】
したがって、連動制御装置の電子データ記憶部で電子データを記憶することにより電子データを参照することが可能となり、連動元を選択入力することができるため、複数の連動制御に関する設定の作業負担を低減することができる。
なお、連動制御装置は、複数の機器を管理する管理装置を兼ねてもよいし、管理装置を兼ねなくてもよい。連動制御装置が管理装置を兼ねない場合は、ネットワークにさらに管理装置が接続されていてもよい。
【００２７】
請求項１３に係る連動制御方法は、複数の機器に対してネットワーク経由で少なくとも２以上の連動制御が行われる連動制御方法であって、電子データ入力ステップと、電子データ記憶ステップと、連動元入力ステップとを備える。電子データ入力ステップでは、入力命令が受け付けられて、電子データが入力される。入力命令は、電子データを入力させる命令である。電子データは、複数の機器のアドレスが指定されている。電子データ記憶ステップでは、電子データ入力ステップにおいて入力された情報に基づき、電子データが記憶される。連動元入力ステップでは、選択命令が受け付けられて、連動制御における連動元が指定される。選択命令は、電子データ記憶ステップで記憶された電子データにおける複数の機器のうちいずれかの機器のアドレスを選択させる命令である。
【００２８】
この連動制御方法では、電子データ入力ステップにおいて、入力命令が受け付けられて、電子データが入力される。電子データ記憶ステップにおいて、電子データが受け取られ、電子データが記憶される。連動元入力ステップにおいて、選択命令が受け付けられ、電子データ記憶ステップにおいて記憶された電子データが参照され、選択命令により指定された機器が連動制御における連動元として入力される。
【００２９】
したがって、電子データを記憶することにより電子データを参照することが可能となり、連動元を選択入力することができるため、複数の連動制御に関する設定の作業負担を低減することができる。
なお、電子データは、あらかじめ入力されたものをネットワーク経由で転送して入力されてもよいし、ネットワークを経由して入力されてもよいし、直接手動で入力されてもよい。直接手動で入力されるばあいでも、１回の入力で済むことから、複数の連動制御に関する設定の作業負担を低減することができる。また、ネットワークは、１つの方式のネットワークで統一されてもよいし、異なる方式のネットワークが混在してもよい。
【００３０】
請求項１４に係る連動制御プログラムは、複数の機器に対してネットワーク経由で少なくとも２以上の連動制御をコンピュータに行わせる連動制御プログラムであって、電子データ入力ステップと、電子データ記憶ステップと、連動元入力ステップとを備える。電子データ入力ステップでは、入力命令が受け付けられて、電子データが入力される。入力命令は、電子データを入力させる命令である。電子データは、複数の機器のアドレスが指定されている。電子データ記憶ステップでは、電子データ入力ステップにおいて入力された情報に基づき、電子データが記憶される。連動元入力ステップでは、選択命令が受け付けられて、連動制御における連動元が指定される。選択命令は、電子データ記憶ステップで記憶された電子データにおける複数の機器のうちいずれかの機器のアドレスを選択させる命令である。
【００３１】
この連動制御プログラムでは、電子データ入力ステップにおいて、入力命令が受け付けられて、電子データが入力される。電子データ記憶ステップにおいて、電子データが受け取られ、電子データが記憶される。連動元入力ステップにおいて、選択命令が受け付けられ、電子データ記憶ステップにおいて記憶された電子データが参照され、選択命令により指定された機器が連動制御における連動元として入力される。
【００３２】
したがって、電子データを記憶することにより電子データを参照することが可能となり、連動元を選択入力することができるため、複数の連動制御に関する設定の作業負担を低減することができる。
なお、電子データは、あらかじめ入力されたものをネットワーク経由で転送して入力されてもよいし、ネットワークを経由して入力されてもよいし、直接手動で入力されてもよい。直接手動で入力されるばあいでも、１回の入力で済むことから、複数の連動制御に関する設定の作業負担を低減することができる。また、ネットワークは、１つの方式のネットワークで統一されてもよいし、異なる方式のネットワークが混在してもよい。
【発明の効果】
【００３３】
請求項１に係る連動制御装置では、電子データを記憶することにより電子データを参照することが可能となり、連動元を選択入力することができるため、複数の連動制御に関する設定の作業負担を低減することができる。
請求項２に係る連動制御装置では、選択命令が選択入力させる候補が表示画面に表示されるので、複数の連動制御に関する設定の作業負担をさらに低減することができる。
【００３４】
請求項３に係る連動制御装置では、連動元をアドレスで直接指定することなく名称で指定できるので、複数の連動制御に関する設定の作業負担をさらに低減することができる。
請求項４に係る連動制御装置では、分散制御ネットワークの知識が無い場合でも、連動元を選択入力することができるため、複数の連動制御に関する設定の作業負担を低減することができる。
【００３５】
請求項５に係る連動制御装置では、連動制御ごとに連動元が記憶されているので、複数の連動制御における連動元を明確にすることができる。
請求項６に係る連動制御装置では、連動制御ごとに連動元の動作が記憶されているので、複数の連動制御における連動開始の動作を明確にすることができる。
請求項７に係る連動制御装置では、連動制御ごとに連動先が記憶されているので、複数の連動制御における連動先を明確にすることができる。
【００３６】
請求項８に係る連動制御装置では、連動制御ごとに連動先の動作が記憶されているので、複数の連動制御における連動制御の結果としての動作を明確にすることができる。
請求項９に係る連動制御装置では、複数の連動制御をそれぞれ行うことができる。
請求項１０に係る連動制御装置では、第１ネットワークの通信方式と第２ネットワークの通信方式とが異なる場合でも、複数の連動制御をそれぞれ行うことができる。
【００３７】
請求項１１に係る連動制御システムでは、連動制御装置の電子データ記憶部で電子データを記憶することにより電子データを参照することが可能となり、連動元を選択入力することができるため、複数の連動制御に関する設定の作業負担を低減することができる。
請求項１２に係る連動制御システムでは、連動制御装置の電子データ記憶部で電子データを記憶することにより電子データを参照することが可能となり、連動元を選択入力することができるため、複数の連動制御に関する設定の作業負担を低減することができる。
【００３８】
請求項１３に係る連動制御方法では、電子データを記憶することにより電子データを参照することが可能となり、連動元を選択入力することができるため、複数の連動制御に関する設定の作業負担を低減することができる。
請求項１４に係る連動制御プログラムでは、電子データを記憶することにより電子データを参照することが可能となり、連動元を選択入力することができるため、複数の連動制御に関する設定の作業負担を低減することができる。
【発明を実施するための最良の形態】
【００３９】
［第１実施形態］
図１に、本発明の第１実施形態にかかる連動制御システム１の構成図を示す。また、本発明の第１実施形態にかかる連動制御システム１の構成要素の構成図を図２及び図３に示す。連動制御システム１は、空調機システム群６０（６０ａ，６０ｂ，・・・）や鍵群１１０（１１１，１１２，１１３，１１４，・・・）などを、イーサネット（登録商標）１０やクローズドネットワーク８０やクローズドネットワーク１２０などを経由して、少なくとも２以上の連動制御を行うためのシステムである。
【００４０】
＜連動制御システム１の全体構成＞
図１に示す連動制御システム１は、主として管理装置５０と連動制御装置２０ａと設備管理装置４０と空調機システム群６０（６０ａ，６０ｂ，・・・）と鍵群１１０（１１１，１１２，１１３，１１４，・・・）とイーサネット１０とクローズドネットワーク８０とクローズドネットワーク１２０とを備える。ここで、クローズドネットワークとはメーカ固有のネットワークのことである。
【００４１】
管理装置５０と設備管理装置４０とはイーサネット１０で接続されている。管理装置５０と連動制御装置２０ａとはイーサネット１０で接続されている。連動制御装置２０ａと設備管理装置４０とはイーサネット１０で接続されている。連動制御装置２０ａと空調機システム群６０（６０ａ，６０ｂ，・・・）とはクローズドネットワーク８０で接続されている。設備管理装置４０と鍵群１１０（１１１，１１２，１１３，１１４，・・・）とはクローズドネットワーク１２０で接続されている。
【００４２】
＜管理装置５０の構成＞
図１に示す管理装置５０は、通常のパーソナルコンピュータ（ＰＣ、Ｍａｃｉｎｔｏｓｈ（登録商標）など）又はエンジニアリングワークステーション（ＥＷＳ）などと同様の構成である。
図１に示す管理装置５０は、主として空調機システム群６０（６０ａ，６０ｂ，・・・）と鍵群１１０（１１１，１１２，１１３，１１４，・・・）とを管理する。
【００４３】
＜連動制御装置２０ａの構成＞
図１に示す連動制御装置２０ａは、図２に示すように、主として電子データ入力部２１、電子データ記憶部２２、電子データ表示部２３、連動元入力部２４、連動元動作入力部２６、連動先入力部２７、連動先動作入力部２８、連動情報記憶部２５、決定部２９、送受信部３０、プロトコル変換部３１及び送受信部３２を備える。
【００４４】
図２に示す電子データ入力部２１に入力された電子データは、電子データ記憶部２２で記憶される。連動元入力部２４は、電子データ表示部２３に指令を出し、電子データ記憶部２２に記憶された電子データの内容を、電子データ表示部２３により表示画面に表示させる。電子データ記憶部２２に記憶された電子データの内容から選択され連動元入力部２４に入力された連動元の情報は、連動制御するためのプログラムである連動制御プログラムとして連動情報記憶部２５に記憶される。同様に、連動元動作入力部２６や連動先入力部２７や連動先動作入力部２８に入力された情報も、連動制御プログラムとして連動情報記憶部２５に記憶される。
【００４５】
図２に示す送受信部３０は、図１に示すイーサネット１０を経由して鍵群１１０（１１１，１１２，１１３，１１４，・・・）の情報を受信して、図２に示すプロトコル変換部３１に渡す。プロトコル変換部３１は、図１に示す鍵群１１０（１１１，１１２，１１３，１１４，・・・）の情報をイーサネット１０のプロトコルから図２に示す決定部２９で読める形式に変換し、図１に示す鍵群１１０（１１１，１１２，１１３，１１４，・・・）の情報を図２に示す決定部２９に渡す。決定部２９は、連動情報記憶部２５に記憶された連動制御プログラムを参照し、図１に示す鍵群１１０（１１１，１１２，１１３，１１４，・・・）の情報に基づき、連動先と連動先の動作とを決定し、連動先と連動先の動作との情報を図２に示すプロトコル変換部３１に渡す。プロトコル変換部３１は、連動先と連動先の動作との情報を決定部２９で読める形式からクローズドネットワーク８０のプロトコルに変換し、送受信部３２に連動先と連動先の動作との情報を渡す。送受信部３２は、クローズドネットワーク８０を経由して連動先と連動先の動作との情報を送信する。すなわち、連動制御装置２０ａは、連動制御するための装置であるとともに、プロトコル変換を行うための装置も兼ねている。
【００４６】
＜設備管理装置４０の構成＞
図１に示す設備管理装置４０は、図３に示すように、主として送受信部４１とプロトコル変換部４２と送受信部４３とを備える。
送受信部４３は、クローズドネットワーク１２０を経由して図１に示す鍵群１１０（１１１，１１２，１１３，１１４，・・・）から情報を受信して、図３に示すプロトコル変換部４２に渡す。プロトコル変換部４２は、図１に示す鍵群１１０（１１１，１１２，１１３，１１４，・・・）の情報をクローズドネットワーク１２０のプロトコルからイーサネット１０のプロトコルに変換し、図３に示す送受信部４１に渡す。送受信部４１は、図１に示す鍵群１１０（１１１，１１２，１１３，１１４，・・・）の情報をイーサネット１０経由で送信する。
【００４７】
＜空調機システム群６０（６０ａ，６０ｂ，・・・）の構成＞
図１に示すように、空調機システム群６０（６０ａ，６０ｂ，６０ｃ，・・・）は、主として室内機群６２（６２ａａ，６２ａｂ，・・・，６２ｂａ，６２ｂｂ，・・・，６２ｃａ，６２ｃｂ，・・・）と室外機群６１（６１ａ，６１ｂ，６１ｃ，・・・）とを備える。
【００４８】
室内機群６２（６２ａａ，６２ａｂ，・・・，６２ｂａ，６２ｂｂ，・・・，６２ｃａ，６２ｃｂ，・・・）と室外機群６１（６１ａ，６１ｂ，６１ｃ，・・・）とは、クローズドネットワーク８０で接続されている。室内機群６２（６２ａａ，６２ａｂ，・・・，６２ｂａ，６２ｂｂ，・・・，６２ｃａ，６２ｃｂ，・・・）は、会議室群１００（１０１，１０２，１０３，・・・）内に設置されている。室外機群６１（６１ａ，６１ｂ，６１ｃ，・・・）は、会議室群１００（１０１，１０２，１０３，・・・）外に設置されている。
【００４９】
なお、会議室群１００（１０１，１０２，１０３，・・・）は、主として会議室１０１，１０２，１０３，・・・を備える。
＜鍵群１１０（１１１，１１２，１１３，１１４，・・・）の構成＞
図１に示すように、鍵群１１０（１１１，１１２，１１３，１１４，・・・）は、主として鍵１１１，１１２，１１３，１１４，・・・を備える。
【００５０】
鍵群１１０（１１１，１１２，１１３，１１４，・・・）は、会議室群１００（１０１，１０２，１０３，・・・）の扉に設置されている。
＜イーサネット１０の構成＞
図１に示すように、イーサネット１０は、管理装置５０と設備管理装置４０と連動制御装置２０ａとを互いに接続している。
【００５１】
イーサネット１０は、伝送プロトコルとしてＢＡＣｎｅｔ（登録商標）を採用している。ＢＡＣｎｅｔは米国の学会ＡＳＨＲＡＥで規格化されたプロトコルである。ＢＡＣｎｅｔを採用したイーサネット１０では、データを要求する側がクライアントであり、データを送信して応答する側がサーバであり、クライアントとサーバの関係が固定していない。そのため、管理装置５０でなくてもデータの収集や命令が可能となり、連動制御装置２０ａと設備管理装置４０とが異なるメーカの装置であっても、連動制御装置２０ａと設備管理装置４０との接続が可能となる。
【００５２】
＜クローズドネットワーク８０・クローズドネットワーク１２０の構成＞
クローズドネットワーク８０は連動制御装置２０ａと空調機システム群６０（６０ａ，６０ｂ，・・・）とを接続している。クローズドネットワーク１２０は設備管理装置４０と鍵群１１０（１１１，１１２，１１３，１１４，・・・）とを接続している。
クローズドネットワーク８０・クローズドネットワーク１２０は、それぞれメーカ固有のネットワークであり、メーカ独自のプロトコルを採用している。
【００５３】
＜電子データ入力部２１に入力される電子データの構成＞
図２に示す電子データ入力部２１に入力される電子データの構成を図５に示す。
行頭に「＃」がある行３０１，３０２はコメント行である。
行頭に「＃」がない行３０３は、３つのフィールドから構成される。左から順番に、デバイスＩＤ３０４、オブジェクトＩＤ３０５、オブジェクト名３０６である。ＢＡＣｎｅｔを採用したイーサネット１０では、ネットワークに接続された機器を特定するのに、デバイスＩＤ３０４とオブジェクトＩＤ３０５とが必要とされる。デバイスＩＤ３０４は、ＢＡＣｎｅｔ上の装置を特定するためのＩＤである。オブジェクトＩＤ３０５は具体的な装置すなわちオブジェクトを特定するためのＩＤである。オブジェクト名３０６は、デバイスＩＤ３０４とオブジェクトＩＤ３０５とで示された装置が何であるのか具体的にイメージできるように付される名称である。各フィールドはコンマで区切られている。すなわち、図５に示す電子データはＣＳＶ（Ｃｏｍｍａ  Ｓｅｐａｒａｔｅｄ  Ｖａｌｕｅ）形式のデータである。
【００５４】
＜連動制御システム１が連動制御プログラムを設定する処理の流れ＞
図１に示す連動制御システム１が連動制御プログラムを設定する処理の流れを、図４に示すフローチャートを用いて説明する。
図４に示すステップＳ１では、図５に示すようなＣＳＶ形式の電子データが、ユーザにより作成され、入力命令が受け付けられて図２に示す電子データ入力部２１により入力され、電子データ入力部２１から電子データ記憶部２２に渡され、電子データ記憶部２２に記憶される。
【００５５】
図４に示すステップＳ２では、連動制御プログラムを設定するためのプログラムである連動設定プログラムが起動され、図２に示す連動情報記憶部２５が参照され、図６に示す「連動制御プログラム一覧」画面３１０の「連動一覧」欄３１２に図２に示す連動情報記憶部２５に記憶された連動制御プログラムが一覧表示される。
図４に示すステップＳ３では、図６に示す「連動制御プログラム一覧」画面３１０の「電子データ」欄３９３における「ロード」ボタン３１８が押される。そして、図７に示す「開く」画面３２０が表示画面に表示され、「ファイル名」欄３２３にテキスト入力することによりファイル名が指定され、「ファイルの種類」欄３２４で「テキストのみ」が選択されることによりファイル形式が指定される。図４に示すステップＳ１で入力された図５に示すＣＳＶ形式の電子データが図２に示す電子データ記憶部２２から呼び出され一時的な記憶場所にロードされる。さらに、図６に示す「連動制御プログラム一覧」画面３１０の「電子データ」欄３９３における「セーブ」ボタン３１９が押される。そして、図８に示す「名前を付けて保存」画面３３０が表示画面に表示され、「ファイル名」欄３３３にテキスト入力することによりファイル名が指定され、「ファイルの種類」欄３３４で「テキストのみ」が選択されることによりファイル形式が指定される。図５に示すＣＳＶ形式の電子データが一時的な記憶場所から呼び出され、図５に示すＣＳＶ形式の電子データのうちコメント行３０１，３０２が除かれた行３０３が、図２に示す電子データ記憶部２２に保存される。
【００５６】
図４に示すステップＳ４では、連動制御プログラムが新規作成されるものであるか否かが判断され、新規作成されるものであると判断されればステップＳ５へ進められ、新規作成されるものでないと判断されればステップＳ６へ進められる。
図４に示すステップＳ５では、図６に示す「連動制御プログラム一覧」画面３１０の「編集」欄３９２における「新規」ボタン３１３が押され、図９に示す「名称設定」画面３４０が表示画面に表示される。「名称設定」画面３４０の入力欄３４１にテキスト入力され「設定」ボタン３４２が押されることにより、連動制御プログラムのプログラム名が指定され、連動制御プログラムのプログラム名が図２に示す連動情報記憶部２５に記憶される。
【００５７】
図４に示すステップＳ６では、図６に示す「連動制御プログラム一覧」画面３１０の「連動一覧」欄３１２のプログラム名が選択され、「編集」欄３９２における「連動設定」ボタン３１７が押され、図２に示す連動情報記憶部２５に記憶された連動制御プログラムが参照され、図１０に示す「連動設定」画面３５０が表示される。さらに、図１０に示す「連動設定」画面３５０の「入力」欄３６２の「変更」ボタン３５３が押される。すなわち、図２に示す連動元入力部２４により電子データ表示部２３に指令が出され、電子データ表示部２３により電子データ記憶部２２が参照され、図１１に示す「連動元設定」画面３７０の「候補オブジェクト」欄３７２に図２に示す電子データ記憶部２２の電子データの内容が表示される。そして、図１１に示す「連動元設定」画面３７０の「候補オブジェクト」欄３７２に表示されたオブジェクトから連動元のオブジェクトが「追加」ボタン３７３により選択入力され、図２に示す連動元入力部２４により連動元のオブジェクトが連動情報記憶部２５に記憶される。
【００５８】
図４に示すステップＳ７では、図１１に示す「連動元設定」画面３７０の「入力」欄３７５で動作を設定するオブジェクトが選択され、「値」欄３７６で「ＡＣＴＩＶＥ」及び「ＩＮＡＣＴＩＶＥ」のいずれかが選択される。「ＯＫ」ボタン３７７が押されることにより、図２に示す連動元動作入力部２６により連動元の動作が連動情報記憶部２５に記憶される。
【００５９】
図４に示すステップＳ８では、図１０に示す「連動設定」画面３５０の「出力１」欄３６３の「変更」ボタン３５５が押され、図２に示す連動先入力部２４により連動情報記憶部２５が参照され、図１２に示す「連動先設定」画面３８０が表示される。「候補空調機」欄３８２に表示された空調機番号から連動先のオプジェクトが「追加」ボタン３８３により選択入力され、図２に示す連動先入力部２７により連動先のオブジェクトが連動情報記憶部２５に記憶される。
【００６０】
図４に示すステップＳ９では、図１２に示す「連動先設定」画面３８０の「出力」欄３８５で動作を設定するオブジェクトが選択され、「動作」欄３８６で「運転」、「停止」、・・・のいずれかが選択される。「ＯＫ」ボタン３８７が押されることにより、図１３に示す「連動設定」画面３５０が表示される。図１３に示す「連動設定」画面３５０の「出力１」欄３６３の連動条件コンボボックス３５６で、「検出しない」及び「いずれかがＯＮ（発生）になった」及び「全てがＯＮ（発生）になった」及び「全てがＯＦＦ（解消）になった」のいずれかが選択される。これにより、図２に示す連動先動作入力部２８により連動先の動作が連動情報記憶部２５に記憶される。
【００６１】
図４に示すステップＳ１０では、図１３に示す「確定」ボタン３６０及び図６に示す「終了」ボタン３１１が押され、連動制御プログラムの内容が連動情報記憶部２５に確定的に記憶される。
＜連動制御システム１が連動制御プログラムを設定する際の表示画面の動作＞
図１に示す連動制御システム１が連動制御プログラムを設定する際の表示画面の動作を、図６から図１３に示す概念図を用いて説明する。図１に示す連動制御システム１において、会議室１０１の鍵１１１及び鍵１１２がかかったことに連動して会議室１０１の室内機６２ａａ，６２ａｂが全て停止されるような防犯連動が設定される場合を説明する。
【００６２】
図２に示す連動元入力部２４に連動設定プログラムの起動命令が入力されると、連動設定プログラムが起動され、図６に示す「連動制御プログラム一覧」画面３１０が表示画面に表示される。その際に、図２に示す連動元入力部２４により連動情報記憶部２５が参照され、図６に示す「連動一覧」欄３１２に図２に示す連動情報記憶部２５に記憶された連動制御プログラムが一覧表示される。初期の状態では、「連動一覧」欄３１２には何も表示されない。
【００６３】
図６に示す「有効／無効」欄３９１は、既存の連動制御プログラムを「有効」にするか「無効」にするかを設定する際に使用される。「無効」に設定された連動制御プログラムは休止状態になる。「編集」欄３９２の「新規」ボタン３１３は、連動制御プログラムを新規作成する際に使用される。「編集」欄３９２の「コピー」ボタン３１４は、連動制御プログラムをコピーして作成する際に使用される。「編集」欄３９２の「削除」ボタン３１５は、既存の連動制御プログラムを削除する際に使用される。「編集」欄３９２の「名称変更」ボタン３１６は、既存の連動制御プログラムのプログラム名を変更する際に使用される。「編集」欄３９２の「連動設定」ボタン３１７は、既存の連動制御プログラムの内容を編集する際に使用される。
【００６４】
図６に示す「電子データ」欄３９３における「ロード」ボタン３１８が押されると、図７に示す「開く」画面３２０が表示画面に表示され、「ファイルの場所」欄３２１にファイルのパス名が表示され、「フォルダ」欄３２２にその場所に記憶されているフォルダ及びファイルが表示される。「ファイル名」欄３２３にテキスト入力されることによりファイル名が指定され、「ファイルの種類」欄３２４で「テキストのみ」が選択されることによりファイル形式が指定され、「開く」ボタン３２５が押されると図５に示すＣＳＶ形式の電子データが図２に示す電子データ記憶部２２から呼び出され一時的な記憶場所にロードされる。図７に示す「キャンセル」ボタン３２６が押されると図５に示すＣＳＶ形式の電子データは図２に示す電子データ記憶部２２から呼び出されない。
【００６５】
図６に示す「電子データ」欄３９３における「セーブ」ボタン３１９が押されると、図８に示す「名前を付けて保存」画面３３０が表示画面に表示され、「ファイルの場所」欄３３１にファイルのパス名が表示され、「フォルダ」欄３３２にその場所に記憶されているフォルダ及びファイルが表示される。「ファイル名」欄３３３にテキスト入力されることによりファイル名が指定され、「ファイルの種類」欄３３４で「テキストのみ」が選択されることによりファイル形式が指定され、「保存」ボタン３３５が押されると図５に示すＣＳＶ形式の電子データのうちコメント行３０１，３０２が除かれた行３０３が、図２に示す電子データ記憶部２２に保存される。図８に示す「キャンセル」ボタン３３６が押されると、図２に示す電子データ記憶部２２に何も保存されない。
【００６６】
図６に示す「編集」欄３９２の「新規」ボタン３１３が押されると、図９に示す「名称設定」画面３４０が表示画面に表示され、入力欄３４１に「会議室１０１空調機消し忘れ防止」と入力されることにより連動制御プログラムのプログラム名が指定される。「設定」ボタン３４２が押されると、図２に示す連動元入力部２４により連動情報記憶部２５に連動制御プログラムのプログラム名が記憶され、図６に示す「連動制御プログラム一覧」画面に戻され、図６に示す「連動制御プログラム一覧」画面の「連動一覧」欄３１２に「会議室１０１空調機消し忘れ防止」と表示される。図９に示す「キャンセル」ボタン３４３が押されると、図６に示す「連動制御プログラム一覧」画面に戻され、図６に示す「連動制御プログラム一覧」画面の「連動一覧」欄３１２に指定したプログラム名が表示されない。
【００６７】
図６に示す「連動制御プログラム一覧」画面３１０の「連動一覧」欄３１２でプログラム名「会議室１０１空調機消し忘れ防止」が選択され、「編集」欄３９２の「連動設定」ボタン３１７が押されると、図１０に示す「連動設定」画面３５０が表示される。「連動設定」画面３５０の「プログラム名」欄３５１には、プログラム名「会議室１０１空調機消し忘れ防止」が表示される。連動制御プログラム「会議室１０１空調機消し忘れ防止」は、この状態ではまだ内容が設定されていないので、「入力」欄３６２の欄３５２や「出力１」欄３６３の欄３５４や「出力２」欄３６４の欄３５７には何も表示されていない。また、「出力１」欄３６３の連動条件コンボボックス３５６や「出力２」欄３６４の連動条件コンボボックス３５９は、デフォルトの状態では、「検出しない」になっている。
【００６８】
図１０に示す「連動設定」画面３５０の「入力」欄３６２の「変更」ボタン３５３が押されると、図１１に示す「連動元設定」画面３７０が表示される。その際に、図２に示す連動元入力部２４により電子データ記憶部２２が参照され、図５に示すＣＳＶ形式の電子データのうちコメント行３０１，３０２が除かれた行３０３が所定の形式に変換され、図１１に示す「候補オブジェクト」欄３７２に表示される。すなわち、図５に示すオブジェクト名３０６は図１１に示す「候補オブジェクト」欄３７２の「名称」欄３９５に対応し、図５に示すデバイスＩＤ３０４は図１１に示す「候補オブジェクト」欄３７２の「デバイス番号」欄３９６に対応している。図５に示すオブジェクトＩＤ３０５は、３２ビットのデータであり、上位１０ビットが図１１に示す「オブジェクト型」欄３９７に対応し、下位２２ビットが図１１に示す「インスタンス番号」欄３９８に対応している。図１１に示す「連動元設定」画面３７０の「プログラム名」欄３７１には、プログラム名「会議室１０１空調機消し忘れ防止」が表示される。
【００６９】
図１１に示す「候補オブジェクト」欄３７２で「会議室１０１鍵１１１」が選択され、「追加」ボタン３７３が押されると、「入力」欄３７５に「会議室１０１鍵１１１」が設定される。ここで、「候補オブジェクト」欄３７２の「会議室１０１鍵１１１」も残ったままの状態である。逆に、「入力」欄３７５で「会議室１０１鍵１１１」が選択され「削除」ボタン３７４が押されると「入力」欄３７５から「会議室１０１鍵１１１」が削除される。ここで、「候補オブジェクト」欄３７２の「会議室１０１鍵１１１」も残ったままの状態である。
【００７０】
図１に示す会議室１０１にはもう一つ鍵１１２があるので、図１１に示す「候補オブジェクト」欄３７２で「会議室１０１鍵１１２」が選択され、「追加」ボタン３７３が押されると、「入力」欄３７５に「会議室１０１鍵１１２」が設定される。ここで、「候補オブジェクト」欄３７２の「会議室１０１鍵１１１」も残ったままの状態である。
会議室１０１の鍵がかけられたことに連動させたいので、「会議室１０１鍵１１１」と「会議室１０１鍵１１２」とは、いずれも「値」欄３７６の「ＡＣＴＩＶＥ」が選択される。図１１に示す「ＯＫ」ボタン３７７が押されると、図２に示す連動元入力部２４及び連動元動作入力部２６により連動元のオブジェクト及び連動元の動作が連動情報記憶部２５に記憶され、図１３に示す「連動設定」画面３５０に戻り、「入力」欄３６２の欄３５２に「会議室１０１鍵１１１」と「会議室１０１鍵１１２」とが表示された状態となる。図１１に示す「キャンセル」ボタン３７８が押されると、連動情報記憶部２５に何も記憶されず、図１０に示す「連動設定」画面３５０に戻り、「入力」欄３６２の欄３５２に何も表示されない状態となる。
【００７１】
図１０に示す「連動設定」画面３５０の「出力１」欄３６３の「変更」ボタン３５５が押されると、図１２に示す「連動先設定」画面３８０が表示される。その際に、図２に示す連動情報記憶部２５にあらかじめ記憶されている図１に示す空調機システム群６０（６０ａ，６０ｂ，・・・）の空調機番号テーブルが参照され、図１２に示す「候補空調機」欄３８２に空調機番号が表示される。図１に示す室内機６２ａａ，６２ａｂ，・・・は、空調機番号が１，２，・・・に設定されている。ここで、空調機番号とは、空調機システム群６０（６０ａ，６０ｂ，・・・）の室内機群６２（６２ａａ，６２ａｂ，・・・，６２ｂａ，６２ｂｂ，・・・，６２ｃａ，６２ｃｂ，・・・）のアドレスを示す番号である。図１２に示す「連動先設定」画面３８０の「プログラム名」欄３８１には、プログラム名「会議室１０１空調機消し忘れ防止」が表示される。
【００７２】
図１２に示す「候補空調機」欄３８２で図１に示す室内機６２ａａに対応した図１２に示す「１」が選択され、「追加」ボタン３８３が押されると、「出力」欄３８５に「１」が設定される。ここで、「候補空調機」欄３８２の「１」も残ったままの状態である。逆に、「出力」欄３８５で「１」が選択され「削除」ボタン３８４が押されると「出力」欄３８５から「１」が削除される。ここで、「候補空調機」欄３８２の「１」も残ったままの状態である。
【００７３】
図１に示す会議室１０１にはもう一つ室内機６２ａｂがあるので、図１２に示す「候補空調機」欄３８２で図１に示す室内機６２ａｂに対応した図１２に示す「２」が選択され、「追加」ボタン３８３が押されると、「出力」欄３８５に「２」が設定される。ここで、「候補空調機」欄３８２の「２」も残ったままの状態である。
連動の結果として図１に示す空調機システム６０ａの室内機６２ａａ，６２ａｂ，・・・が全て停止されるようにしたいので、図１２に示す「１」と「２」とは、いずれも「動作」欄３８６の「停止」が選択される。図１２に示す「ＯＫ」ボタン３８７が押されると、図２に示す連動先入力部２７及び連動先動作入力部２８により連動先のオブジェクト及び連動先の動作が連動情報記憶部２５に記憶され、図１３に示す「連動設定」画面３５０に戻り、「出力１」欄３６３の欄３５４に「１」と「２」とが表示された状態となる。図１２に示す「キャンセル」ボタン３８８が押されると、連動情報記憶部２５に何も記憶されず、図１０に示す「連動設定」画面３５０に戻り、「出力１」欄３６３の欄３５４に何も表示されない状態となる。なお以上の動作は、図１０に示す「連動設定」画面３５０の「出力２」欄３６４の「変更」ボタン３５８が押された場合も同様である。
【００７４】
図１３に示す「連動設定」画面３５０では、「出力１」欄３６３の連動条件コンボボックス３５６は、デフォルトの状態において「検出しない」になっている。しかし、図１に示す会議室１０１の鍵１１１及び鍵１１２がかかったことに連動して会議室１０１の室内機６２ａａ，６２ａｂが全て停止されるような防犯連動の場合、会議室１０１の鍵１１１及び鍵１１２のいずれか一方のみがかけられた状態では連動したくないが、会議室１０１の鍵１１１及び鍵１１２の両方ともかけられた状態では連動したいとの要望がある。そこで、図１３に示す「出力１」欄３６３の連動条件コンボボックス３５６で、「全てがＯＮ（発生）になった」が選択される。図１３に示す「確定」ボタン３６０が押されると、図２に示す連動元動作入力部２６により連動元の動作の条件が連動情報記憶部２５に記憶され、図６に示す「連動制御プログラム一覧」画面３１０に戻される。図１３に示す「キャンセル」ボタン３６１が押されると、連動情報記憶部２５に何も記憶されず、図６に示す「連動制御プログラム一覧」画面３１０に戻される。
【００７５】
図６に示す「連動制御プログラム一覧」画面３１０で「終了」ボタン３１１が押されると、連動設定プログラムが終了される。
＜連動制御システム１が連動制御する処理の流れ＞
図１に示す連動制御システム１が連動制御する処理の流れを、図１４に示すフローチャートを用いて説明する。ここでは、図１に示す連動制御システム１において、会議室１０１の鍵１１１及び鍵１１２がかかったことに連動して会議室１０１の室内機６２ａａ，６２ａｂが全て停止されるような防犯連動がなされる場合を説明する。
【００７６】
図１４に示すステップＳ１０では、図１に示す会議室１０１の鍵１１１と鍵１１２との両方がかけられ、鍵１１１がかけられたことを示す信号Ｂ１と鍵１１２がかけられたことを示す信号Ｂ２とが、鍵１１１と鍵１１２とのそれぞれからクローズドネットワーク１２０上に送信される。信号Ｂ１と信号Ｂ２とは、設備管理装置４０の図３に示す送受信部４３で受信され、送受信部４３からプロトコル変換部４２へ渡され、プロトコル変換部４２でクローズドネットワーク１２０のプロトコルからイーサネット１０が採用しているＢＡＣｎｅｔのプロトコルに変換され、プロトコル変換部４２から送受信部４１へ渡され、送受信部４１からイーサネット１０経由で送信される。
【００７７】
図１４に示すステップＳ１１では、信号Ｂ１と信号Ｂ２とが、図１に示す連動制御装置２０ａの図２に示す送受信部３０で受信され、送受信部３０からプロトコル変換部３１に渡される。信号Ｂ１と信号Ｂ２とは、イーサネット１０が採用しているＢＡＣｎｅｔのプロトコルから決定部２９が読める形式にプロトコル変換部３１で変換され、プロトコル変換部３１から決定部２９に渡される。
【００７８】
図１４に示すステップＳ１２では、決定部２９により連動情報記憶部２５が参照され、連動情報記憶部２５に記憶されている連動制御プログラムが起動される。
図１４に示すステップＳ１３では、決定部２９において、連動制御プログラムに従って、連動先が会議室１０１の室内機６２ａａ，６２ａｂに決定され、連動先の動作が両方とも「停止」に決定される。そして、連動先が室内機６２ａａ，６２ａｂであるという情報と連動先の動作が両方とも「停止」であるという情報とが、決定部２９からプロトコル変換部３１に渡される。それらの情報は、プロトコル変換部３１において決定部２９で読める形式からクローズドネットワーク８０のプロトコルに変換され、送受信部３２に渡される。
【００７９】
図１４に示すステップＳ１４では、それらの情報が、送受信部３２からクローズドネットワーク８０経由で送信される。
図１４に示すステップＳ１５では、それらの情報が、空調機システム６０ａの室内機６２ａａと室内機６２ａｂとに受信され、両方とも停止される。
＜連動制御システム１に関する特徴＞
（１）
ここでは、図２に示す電子データ入力部２１に、入力命令を受けて、図５に示すＣＳＶ形式の電子データが入力される。図２に示す電子データ記憶部２２は、電子データ入力部２１から図５に示すＣＳＶ形式の電子データを受け取り、ＣＳＶ形式の電子データを記憶する。図２に示す連動元入力部２４は、図１１に示す「追加」ボタン３７３が押されたことを受けて、電子データ記憶部２２に記憶されている図５に示すＣＳＶ形式の電子データのうちコメント行３０１，３０２が除かれた行３０３を参照する。図２に示す連動元入力部２４に、図１１に示す「追加」ボタン３７３が押されるにより選択入力された機器である「会議室１０１鍵１１１」と「会議室１０１鍵１１２」とが、連動制御プログラム「会議室１０１空調機消し忘れ防止」における連動元として入力される。そして、連動元の情報が、図２に示す連動情報記憶部２５に記憶される。連動制御プログラム「会議室１０２空調機消し忘れ防止」、「会議室１０３空調機消し忘れ防止」、・・・についても、図２に示す連動元入力部２４に、同様にして連動元が入力される。
【００８０】
したがって、図５に示すＣＳＶ形式の電子データを記憶することにより、図５に示すＣＳＶ形式の電子データのうちコメント行３０１，３０２が除かれた行３０３を参照することが可能となり、連動元を選択入力することができるため、複数の連動制御「会議室１０１空調機消し忘れ防止」、「会議室１０２空調機消し忘れ防止」、「会議室１０３空調機消し忘れ防止」、・・・に関する設定の作業負担が低減される。
【００８１】
（２）
ここでは、図２に示す電子データ表示部２３は、図１０に示す「連動設定」画面３５０の「入力」欄３６２の「変更」ボタン３５３が押されたことを受けて、図２に示す電子データ記憶部２２における電子データの内容を図１１に示す「連動元設定」画面３７０の「候補オブジェクト」欄３７２に表示する。図１１に示す「連動元設定」画面３７０の「候補オブジェクト」欄３７２に表示された電子データの内容から、「追加」ボタン３７３で選択させる図５に示す機器のデバイスＩＤ３０４とオブジェクトＩＤ３０５とが決められる。図２に示す連動元入力部２４は、選択命令を受けて、電子データ記憶部２２に記憶されている電子データを参照する。図２に示す連動元入力部２４に、図１１に示す「追加」ボタン３７３が押されるにより選択入力された機器である「会議室１０１鍵１１１」と「会議室１０１鍵１１２」とが、連動制御プログラム「会議室１０１空調機消し忘れ防止」における連動元として入力される。そして、連動元の情報が、図２に示す連動情報記憶部２５に記憶される。連動制御プログラム「会議室１０２空調機消し忘れ防止」、「会議室１０３空調機消し忘れ防止」、・・・についても、図２に示す連動元入力部２４に、同様にして連動元が入力される。
【００８２】
したがって、図１１に示す「追加」ボタン３７３が選択入力させる候補が表示画面に表示されるので、複数の連動制御「会議室１０１空調機消し忘れ防止」、「会議室１０２空調機消し忘れ防止」、「会議室１０３空調機消し忘れ防止」、・・・に関する設定の作業負担がさらに低減される。
（３）
ここでは、図５に示すＣＳＶ形式の電子データは、複数の機器のオブジェクト名３０６と複数の機器のデバイスＩＤ３０４及びオブジェクトＩＤ３０５とを対応づける。図１１に示す「候補オブジェクト」欄３７２の「名称」欄３９５に示された名称が参考にされ、図１１に示す「候補オブジェクト」欄３７２でオブジェクトが選択されて「追加」ボタン３７３が押されることにより、図２に示す電子データ記憶部２２が記憶している電子データにおける機器の図５に示すデバイスＩＤ３０４及びオブジェクトＩＤ３０５が連動元として指定されることが可能となる。図２に示す連動元入力部２１は、図１１に示す「追加」ボタン３７３が押されたことを受けて、電子データ記憶部２２に記憶されている図５に示すＣＳＶ形式の電子データのうちコメント行３０１，３０２が除かれた行３０３を参照する。図２に示す連動元入力部２１に、図１１に示す「追加」ボタン３７３が押されるにより選択入力された機器である「会議室１０１鍵１１１」と「会議室１０１鍵１１２」とが、連動制御プログラム「会議室１０１空調機消し忘れ防止」における連動元として入力される。そして、連動元の情報が、図２に示す連動情報記憶部２５に記憶される。連動制御プログラム「会議室１０２空調機消し忘れ防止」、「会議室１０３空調機消し忘れ防止」、・・・についても、図２に示す連動元入力部２４に、同様にして連動元が入力される。
【００８３】
したがって、連動元を図５に示すデバイスＩＤ３０４とオブジェクトＩＤ３０５とを直接指定することなく図１１に示す「候補オブジェクト」欄３７２の「名称」欄３９５に示された名称で指定できるので、複数の連動制御「会議室１０１空調機消し忘れ防止」、「会議室１０２空調機消し忘れ防止」、「会議室１０３空調機消し忘れ防止」、・・・に関する設定の作業負担がさらに低減される。
【００８４】
（４）
ここでは、図１に示すイーサネット１０は、ＢＡＣｎｅｔプロトコルを採用している。図２に示す電子データ入力部２１に、入力命令を受けて、図５に示すＣＳＶ形式の電子データが入力される。図２に示す電子データ記憶部２２は、電子データ入力部２１から図５に示すＣＳＶ形式の電子データを受け取り、ＣＳＶ形式の電子データを記憶する。図２に示す連動元入力部２１は、図１１に示す「追加」ボタン３７３が押されたことを受けて、電子データ記憶部２２に記憶されている図５に示すＣＳＶ形式の電子データのうちコメント行３０１，３０２が除かれた行３０３を参照する。図２に示す連動元入力部２１に、図１１に示す「追加」ボタン３７３が押されるにより選択入力された機器である「会議室１０１鍵１１１」と「会議室１０１鍵１１２」とが、連動制御プログラム「会議室１０１空調機消し忘れ防止」における連動元として入力される。そして、連動元の情報が、図２に示す連動情報記憶部２５に記憶される。連動制御プログラム「会議室１０２空調機消し忘れ防止」、「会議室１０３空調機消し忘れ防止」、・・・についても、図２に示す連動元入力部２４に、同様にして連動元が入力される。
【００８５】
したがって、ＢＡＣｎｅｔプロトコルの知識がなくても、連動元を選択入力することができるため、複数の連動制御「会議室１０１空調機消し忘れ防止」、「会議室１０２空調機消し忘れ防止」、「会議室１０３空調機消し忘れ防止」、・・・に関する設定の作業負担が低減される。
（５）
ここでは、図２に示す連動元入力部２４は、図１１に示す「連動元設定」画面３７０の「候補オブジェクト」欄３７２で「会議室１０１鍵１１１」及び「会議室１０１鍵１１２」が選択されて「追加」ボタン３７３が押されたことを受けて、図２に示す電子データ記憶部２２に記憶されている電子データを参照する。図２に示す連動元入力部２４に、選択された機器である「会議室１０１鍵１１１」と「会議室１０１鍵１１２」とが、連動制御プログラム「会議室１０１空調機消し忘れ防止」における連動元として入力される。そして、連動情報記憶部２５は、連動元入力部２１から連動制御プログラム「会議室１０１空調機消し忘れ防止」における連動元の情報を受け取り、連動制御プログラム「会議室１０１空調機消し忘れ防止」における連動元を記憶する。連動制御プログラム「会議室１０２空調機消し忘れ防止」、「会議室１０３空調機消し忘れ防止」、・・・についても、図２に示す連動元入力部２４に、同様にして連動元が入力され記憶される。
【００８６】
したがって、連動制御ごとに連動制御プログラムがあり、連動制御プログラムごとに連動元が記憶されているので、複数の連動制御「会議室１０１空調機消し忘れ防止」、「会議室１０２空調機消し忘れ防止」、「会議室１０３空調機消し忘れ防止」、・・・における連動元が明確にされる。
（６）
ここでは、図２に示す連動元動作入力部２６に、図１１に示す「連動元設定」画面３７０の「値」欄３７６で「ＡＣＴＩＶＥ」及び「ＩＮＡＣＴＩＶＥ」のいずれかが選択されたことを受けて、指定された動作である「会議室１０１鍵１１１」の「ＡＣＴＩＶＥ」と「会議室１０１鍵１１２」の「ＡＣＴＩＶＥ」とが、連動制御プログラム「会議室１０１空調機消し忘れ防止」における連動元の動作として入力される。図２に示す連動情報記憶部２５は、連動元動作入力部２６から、連動制御プログラム「会議室１０１空調機消し忘れ防止」における連動元の動作の情報「会議室１０１鍵１１１」の「ＡＣＴＩＶＥ」と「会議室１０１鍵１１２」の「ＡＣＴＩＶＥ」とを受け取り、連動制御プログラム「会議室１０１空調機消し忘れ防止」における連動元の動作を記憶する。連動制御プログラム「会議室１０２空調機消し忘れ防止」、「会議室１０３空調機消し忘れ防止」、・・・についても、図２に示す連動元動作入力部２６に、同様にして連動元が入力され記憶される。
【００８７】
したがって、連動制御ごとに連動制御プログラムがあり、連動制御プログラムごとに連動元の動作が記憶されているので、複数の連動制御「会議室１０１空調機消し忘れ防止」、「会議室１０２空調機消し忘れ防止」、「会議室１０３空調機消し忘れ防止」、・・・における連動開始の動作が明確にされる。
（７）
ここでは、図２に示す連動先入力部２７に、図１２に示す「連動先設定」画面３８０の「候補空調機」欄３８２で図１に示す室内機６２ａａに対応した図１２に示す「１」と図１に示す室内機６２ａｂに対応した図１２に示す「２」とが選択されてそれぞれ「追加」ボタン３８３が押されたことを受けて、指定された機器である図１に示す室内機６２ａａに対応した図１２に示す「１」と図１に示す室内機６２ａｂに対応した図１２に示す「２」とが、連動制御プログラム「会議室１０１空調機消し忘れ防止」における連動先として入力される。図２に示す連動情報記憶部２５に、連動先入力部２７から、連動制御プログラム「会議室１０１空調機消し忘れ防止」における連動先である図１に示す室内機６２ａａに対応した図１２に示す「１」と図１に示す室内機６２ａｂに対応した図１２に示す「２」との情報を受け取り、連動制御プログラム「会議室１０１空調機消し忘れ防止」における連動先を記憶する。連動制御プログラム「会議室１０２空調機消し忘れ防止」、「会議室１０３空調機消し忘れ防止」、・・・についても、図２に示す連動先入力部２７に、同様にして連動元が入力され記憶される。
【００８８】
したがって、連動制御ごとに連動制御プログラムがあり、連動制御プログラムごとに連動先が記憶されているので、複数の連動制御「会議室１０１空調機消し忘れ防止」、「会議室１０２空調機消し忘れ防止」、「会議室１０３空調機消し忘れ防止」、・・・における連動先が明確にされる。
（８）
ここでは、図２に示す連動先動作入力部２８に、図１２に示す「連動先設定」画面３８０の「動作」欄３８６で「運転」、「停止」、・・・のいずれかが選択されたことを受けて、指定された動作である「１」の「停止」と「２」の「停止」とが、連動制御プログラム「会議室１０１空調機消し忘れ防止」における連動先の動作として入力される。図２に示す連動情報記憶部２５は、連動先動作入力部２８から、連動制御プログラム「会議室１０１空調機消し忘れ防止」における連動先の動作の情報「１」の「停止」と「２」の「停止」とを受け取り、連動制御プログラム「会議室１０１空調機消し忘れ防止」における連動先の動作を記憶する。連動制御プログラム「会議室１０２空調機消し忘れ防止」、「会議室１０３空調機消し忘れ防止」、・・・についても、図２に示す連動先動作入力部２８に、同様にして連動元が入力され記憶される。
【００８９】
したがって、連動制御ごとに連動制御プログラムがあり、連動制御プログラムごとに連動先の動作が記憶されているので、複数の連動制御「会議室１０１空調機消し忘れ防止」、「会議室１０２空調機消し忘れ防止」、「会議室１０３空調機消し忘れ防止」、・・・における連動制御の結果としての動作が明確にされる。
（９）
ここでは、図２に示す送受信部３０は、図１に示す鍵１１１がかけられたことを示す信号Ｂ１と鍵１１２がかけられたことを示す信号Ｂ２とを、イーサネット１０経由で受信する。図２に示す決定部２９は、受信部２９が受信した信号Ｂ１と信号Ｂ２との情報を受け取り、連動情報記憶部２５に記憶された連動制御プログラム「会議室１０１空調機消し忘れ防止」を参照し、連動先である室内機６２ａａに対応した「１」及び室内機６２ａａに対応した「１」の「停止」と、連動先である室内機６２ａｂに対応した「２」及び室内機６２ａｂに対応した「２」の「停止」とを、決定する。送受信部３２は、決定部２９が決定した「１」及び「１」の「停止」と「２」及び「２」の「停止」との情報を受け取り、それらの信号をクローズドネットワーク８０経由で送信する。連動制御プログラム「会議室１０２空調機消し忘れ防止」、「会議室１０３空調機消し忘れ防止」、・・・についても同様である。
【００９０】
したがって、複数の連動制御「会議室１０１空調機消し忘れ防止」、「会議室１０２空調機消し忘れ防止」、「会議室１０３空調機消し忘れ防止」、・・・がそれぞれ行われる。
（１０）
ここでは、図２に示すプロトコル変換部３１は、図１に示すイーサネット１０のＢＡＣｎｅｔプロトコルとクローズドネットワーク８０のプロトコルとを相互に変換する。送受信部３０は、信号Ｂ１と信号Ｂ２とをＢＡＣｎｅｔプロトコルが採用されたイーサネット１０経由で受信し、信号Ｂ１と信号Ｂ２とを図２に示すプロトコル変換部３１へ渡す。プロトコル変換部３１は、ＢＡＣｎｅｔプロトコルから図２に示す決定部２９が読める形式へ信号Ｂ１と信号Ｂ２とを変換し、変換後の信号Ｂ１と信号Ｂ２とを決定部２９へ渡す。図２に示す決定部２９は、連動情報記憶部２５に記憶された連動制御プログラム「会議室１０１空調機消し忘れ防止」を参照し、連動先である室内機６２ａａに対応した「１」及び室内機６２ａａに対応した「１」の「停止」と、連動先である室内機６２ａｂに対応した「２」及び室内機６２ａｂに対応した「２」の「停止」とを、決定する。そして、図２に示す決定部２９は、「１」及び「１」の「停止」と、「２」及び「２」の「停止」との、情報を、プロトコル変換部３１に渡す。プロトコル変換部３１は、「１」及び「１」の「停止」と「２」及び「２」の「停止」との情報を、決定部２９が読める形式からクローズドネットワーク８０のプロトコルへ変換する。そして、プロトコル変換部３１は、「１」及び「１」の「停止」と「２」及び「２」の「停止」との変換後の情報を、送受信部３２へ渡す。送受信部３２は、「１」及び「１」の「停止」と「２」及び「２」の「停止」との変換後の情報を、クローズドネットワーク８０経由で送信する。連動制御プログラム「会議室１０２空調機消し忘れ防止」、「会議室１０３空調機消し忘れ防止」、・・・についても同様である。
【００９１】
したがって、イーサネット１０の通信方式とクローズドネットワーク８０の通信方式とが異なっていても、複数の連動制御「会議室１０１空調機消し忘れ防止」、「会議室１０２空調機消し忘れ防止」、「会議室１０３空調機消し忘れ防止」、・・・がそれぞれ行われる。
＜第１実施形態の変形例＞
（Ａ）図６から図１３において、図１に示す会議室１０１の鍵１１１及び鍵１１２がかかったことに連動して空調機システム６０ａの室内機６２ａａ，６２ａｂが全て停止されるような防犯連動が設定される場合が説明されているが、図１に示す会議室１０２の鍵１１３がかかったことに連動して会議室１０２の室内機６２ｂａ，６２ｂｂが全て停止されるような防犯連動や図１に示す会議室１０３の鍵１１４がかかったことに連動して会議室１０３の室内機６２ｃａ，６２ｃｂが全て停止されるような防犯連動も同様にして設定され得る。
【００９２】
（Ｂ）図６から図１３において、図１に示す会議室１０１の鍵１１１及び鍵１１２がかかったことに連動して会議室１０１の室内機６２ａａ，６２ａｂが全て停止されるような防犯連動が設定される場合が説明されているが、会議室１０１の室内機６２ａａ，６２ａｂのいずれかが起動されたことに連動して会議室１０１の室内機６２ａａ，６２ａｂが全て起動されるような空調連動も設定され得る。
【００９３】
図１に示す連動制御システム１が空調連動の連動制御プログラムを設定する際の表示画面の動作を、図６及び図９及び図１５から図１８に示す概念図を用いて説明する。会議室１０１の室内機６２ａａ，６２ａｂのいずれかが起動されたことに連動して会議室１０１の室内機６２ａａ，６２ａｂが全て起動されるような空調連動が設定される場合を説明する。
【００９４】
ユーザが図２に示す連動元入力部２４に連動設定プログラムの起動命令を入力すると、連動設定プログラムが起動され、図６に示す「連動制御プログラム一覧」画面が表示画面に表示される。その際に、図２に示す連動元入力部２４により連動情報記憶部２５が参照され、図６に示す「連動一覧」欄３１２に図２に示す連動情報記憶部２５に記憶された連動制御プログラムが一覧表示される。「連動一覧」欄３１２は初期の状態では空欄である。
【００９５】
図６に示す「編集」欄３９２の「新規」ボタン３１３が押されると、図９に示す「名称設定」画面３４０が表示画面に表示され、入力欄３４１に「会議室１０１空調機起動」と入力されることにより連動制御プログラムのプログラム名が指定される。「設定」ボタン３４２が押されると、図２に示す連動元入力部２４により、連動情報記憶部２５に連動制御プログラムのプログラム名が記憶させられ、図６に示す「連動制御プログラム一覧」画面の「連動一覧」欄３１２に「会議室１０１空調機起動」と表示される。
【００９６】
図６に示す「連動制御プログラム一覧」画面の「連動一覧」欄３１２でプログラム名「会議室１０１空調機起動」が選択され、「編集」欄３９２の「連動設定」ボタン３１７が押されると、図１５に示す「連動設定」画面４００が表示される。「連動設定」画面４００の「プログラム名」欄４０１には、プログラム名「会議室１０１空調機起動」が表示される。連動制御プログラム「会議室１０１空調機起動」は、この状態ではまだ内容が設定されていないので、「入力」欄４１２の欄４０２や「出力１」欄４１３の欄４０４や「出力２」欄４１４の欄４０７には何も表示されていない。また、「出力１」欄４１３の連動条件コンボボックス４０６や「出力２」欄４１４の連動条件コンボボックス４０９は、デフォルトの状態では、「検出しない」になっている。
【００９７】
図１５に示す「連動設定」画面４００の「入力」欄４１２の「変更」ボタン４０３が押されると、図１６に示す「連動元設定」画面４２０が表示される。その際に、図２に示す連動元入力部２４により電子データ記憶部２２が参照される。そして、図５に示すＣＳＶ形式の電子データのうちコメント行３０１，３０２が除かれた行３０３が、所定の形式に変換され、図１６に示す「候補オブジェクト」欄４２２に表示される。「連動元設定」画面４２０の「プログラム名」欄４２１には、プログラム名「会議室１０１空調機起動」が表示される。
【００９８】
図１６に示す「候補オブジェクト」欄４２２で「室内機６２ａａ発停」が選択され「追加」ボタン４２３が押されると、「入力」欄４２５に「室内機６２ａａ発停」が設定される。ここで、「候補オブジェクト」欄４２２の「室内機６２ａａ発停」も残ったままの状態である。逆に、「入力」欄４２５で「室内機６２ａａ発停」が選択され「削除」ボタン４２４が押されると「入力」欄４２５から「室内機６２ａａ発停」が削除される。ここで、「候補オブジェクト」欄４２２の「室内機６２ａａ発停」も残ったままの状態である。
【００９９】
図１に示す会議室１０１にはもう一つ室内機６２ａｂがあるので、図１６に示す「候補オブジェクト」欄４２２で「室内機６２ａｂ発停」が選択され「追加」ボタン４２３が押されると、「入力」欄４２５に「室内機６２ａｂ発停」が設定される。ここで、「候補オブジェクト」欄４２２の「室内機６２ａｂ発停」も残ったままの状態である。
図１に示す会議室１０１の室内機６２ａａ，６２ａｂのいずれかが起動されたことに連動させたいので、図１６に示す「入力」欄４２５の「室内機６２ａａ発停」と「室内機６２ａｂ発停」とは、いずれも「値」欄４２６の「ＡＣＴＩＶＥ」が選択される。図１６に示す「ＯＫ」ボタン４２７が押されると、図２に示す連動元入力部２４及び連動元動作入力部２６により、連動元のオブジェクト及び連動元の動作が、連動情報記憶部２５に記憶させられる。そして、図１８に示す「連動設定」画面４００に戻され、「入力」欄４１２の欄４０２に「室内機６２ａａ発停」と「室内機６２ａｂ発停」とが表示された状態となる。図１６に示す「キャンセル」ボタン４２８が押されると、図２に示す連動情報記憶部２５に何も記憶されず、図１５に示す「連動設定」画面４００に戻され、「入力」欄４１２の欄４０２に何も表示されない状態となる。
【０１００】
図１５に示す「連動設定」画面４００の「出力１」欄４１３の「変更」ボタン４０５が押されると、図１７に示す「連動先設定」画面４３０が表示される。その際に、図２に示す連動情報記憶部２５にあらかじめ設定されている図１に示す空調機システム群６０（６０ａ，６０ｂ，・・・）の空調機番号テーブルが参照され、図１７に示す「候補空調機」欄４３２に空調機番号が表示される。図１に示す室内機６２ａａ，６２ａｂ，・・・は、空調機番号が１，２，・・・に設定されている。ここで、空調機番号とは、空調機システム群６０（６０ａ，６０ｂ，・・・）の室内機群６２（６２ａａ，６２ａｂ，・・・，６２ｂａ，６２ｂｂ，・・・，６２ｃａ，６２ｃｂ，・・・）のアドレスを示す番号である。図１７に示す「連動先設定」画面４３０の「プログラム名」欄４３１には、プログラム名「会議室１０１空調機起動」が表示される。
【０１０１】
図１７に示す「候補空調機」欄４３２で室内機６２ａａに対応した「１」が選択され、「追加」ボタン４３３が押されると、「出力」欄４３５に「１」が設定される。ここで、「候補空調機」欄４３２の「１」も残ったままの状態である。逆に、「出力」欄４３５で「１」が選択され「削除」ボタン４３４が押されると「出力」欄４３５から「１」が削除される。ここで、「候補空調機」欄４３２の「１」も残ったままの状態である。
【０１０２】
図１に示す会議室１０１にはもう一つ室内機６２ａｂがあるので、図１７に示す「候補空調機」欄４３２で図１に示す室内機６２ａｂに対応した図１７に示す「２」が選択され、「追加」ボタン４３３が押されると、「出力」欄４３５に「２」が設定される。ここで、「候補空調機」欄４３２の「２」も残ったままの状態である。
連動の結果として図１に示す会議室１０１の室内機６２ａａ，６２ａｂが全て起動されるようにしたいので、図１７に示す「出力」欄４３５の「１」と「２」とは、いずれも「動作」欄４３６の「運転」が選択される。図１７に示す「ＯＫ」ボタン４３７が押されると、図２に示す連動先入力部２７及び連動先動作入力部２８により連動先のオブジェクト及び連動先の動作が連動情報記憶部２５に記憶され、図１８に示す「連動設定」画面４００に戻され、「出力１」欄４１３の欄４０４に「１」と「２」とが表示された状態となる。図１７に示す「キャンセル」ボタン４３８が押されると、連動情報記憶部２５に何も記憶されず、図１５に示す「連動設定」画面４００に戻され、「出力１」欄４１３の欄４０４に何も表示されない状態となる。以上の動作は、図１５に示す「連動設定」画面４００の「出力２」欄４１４の「変更」ボタン４０８が押された場合も同様である。
【０１０３】
図１８に示す「連動設定」画面４００では、「出力１」欄４１３の連動条件コンボボックス４０６は、デフォルトの状態において「検出しない」になっている。しかし、図１に示す会議室１０１の室内機６２ａａ，６２ａｂのいずれかが起動されたことに連動して会議室１０１の室内機６２ａａ，６２ａｂが全て起動されるような空調連動の場合、会議室１０１の室内機６２ａａ，６２ａｂの少なくとも一方がかけられた状態で連動したいとの要望がある。そこで、図１８に示す「出力１」欄４１３の連動条件コンボボックス４０６で、「いずれかがＯＮ（発生）になった」が選択される。図１８に示す「確定」ボタン４１０が押されると、図２に示す連動元動作入力部２６により連動元の動作の条件が連動情報記憶部２５に記憶され、図６に示す「連動制御プログラム一覧」画面３１０に戻される。図１８に示す「キャンセル」ボタン４１１が押されると、連動情報記憶部２５に何も記憶されず、図６に示す「連動制御プログラム一覧」画面３１０に戻される。
【０１０４】
図６に示す「連動制御プログラム一覧」画面３１０で「終了」ボタン３１１が押されると、連動設定プログラムが終了される。
これにより、会議室１０１の室内機６２ａａ，６２ａｂのいずれかが起動されたことに連動して会議室１０１の室内機６２ａａ，６２ａｂが全て起動されるような空調連動が設定され得る。
【０１０５】
（Ｃ）図１に示す連動制御システム１は、さらに連動制御装置２０ｂと照明機器群７０（７０ａ，７０ｂ，７０ｃ，・・・）とクローズドネットワーク９０とを備えてもよい。連動制御装置２０ｂの構成は、図２に示す連動制御装置２０ａの構成と同様である。図１に示すように、照明機器群７０（７０ａ，７０ｂ，７０ｃ，・・・）は、主として照明機器７０ａ，７０ｂ，７０ｃ，・・・を備える。照明機器群７０（７０ａ，７０ｂ，７０ｃ，・・・）は、会議室群１００（１０１，１０２，１０３，・・・）内に設置されている。クローズドネットワーク９０は連動制御装置２０ｂと照明機器群７０（７０ａ，７０ｂ，７０ｃ，・・・）とを接続している。クローズドネットワーク９０は、メーカ固有のネットワークであり、メーカ独自のプロトコルを採用している。この場合、照明機器群７０（７０ａ，７０ｂ，７０ｃ，・・・）も、空調機システム群６０（６０ａ，６０ｂ，・・・）と同様に、鍵群１１０（１１１，１１２，１１３，１１４，・・・）がかけられたことに連動して停止されるような防犯連動がなされ得る。
【０１０６】
（Ｄ）図１に示すイーサネット１０の伝送プロトコルは、ＴＣＰ／ＩＰとＢＡＣｎｅｔとの併用でもよいし、ＵＤＰ／ＩＰとＢＡＣｎｅｔとの併用でもよいし、ＬｏｎＴａｌｋ（登録商標）とＢＡＣｎｅｔとの併用でもよいし、ＡＲＣＮＥＴ（登録商標）とＢＡＣｎｅｔとの併用でもよいし、ＰＴＰ（登録商標）とＢＡＣｎｅｔとの併用でもよいし、ＭＳ／ＴＰとＢＡＣｎｅｔとの併用でもよい。図１に示すクローズドネットワーク８０・クローズドネットワーク９０・クローズドネットワーク１２０は、全てイーサネット１０と同じ通信方式でもよいし、いずれか１つ以上がイーサネット１０と同じ通信方式でもよい。クローズドネットワーク１２０がイーサネット１０と同じ通信方式の場合、設備管理装置４０はなくてもよい。この場合でも、鍵群１１０（１１１，１１２，１１３，１１４，・・・）からの信号は送信されるので、連動制御装置群２０（２０ａ，２０ｂ，・・・）に受信され得るため、防犯連動がなされ得る。クローズドネットワーク８０・クローズドネットワーク９０・クローズドネットワーク１２０が全てイーサネット１０と同じ通信方式の場合、イーサネット１０の伝送プロトコルは、ＴＣＰ／ＩＰでもよいし、ＵＤＰ／ＩＰでもよいし、ＴＣＰ／ＩＰとＵＤＰ／ＩＰとの併用でもよい。イーサネット１０・クローズドネットワーク８０・クローズドネットワーク９０・クローズドネットワーク１２０が全て分散制御ネットワークである場合、管理装置５０はなくてもよい。分散制御ネットワークとは、例えば、ＬｏｎＴａｌｋとＢＡＣｎｅｔとの併用が伝送プロトコルとして採用されたネットワークである。
【０１０７】
（Ｅ）図５に示すＣＳＶ形式の電子データは、図１に示す管理装置５０又は設備管理装置４０など連動制御装置２０ａとは別の場所にあらかじめ入力されたものをイーサネット１０経由で転送して入力されてもよいし、イーサネット１０を経由して管理装置５０又は設備管理装置４０など連動制御装置２０ａとは別の場所から連動制御装置２０ａに入力されてもよいし、連動制御装置２０ａに直接手動で入力されてもよい。連動制御装置２０ａに直接手動で入力される場合でも、１回の入力で済むことから、複数の連動制御「会議室１０１空調機消し忘れ防止」、「会議室１０２空調機消し忘れ防止」、「会議室１０３空調機消し忘れ防止」、・・・に関する設定の作業負担を低減することができる。図５に示すＣＳＶ形式の電子データは、ＣＳＶ形式でなくてもよい。すなわちタブ区切りのテキストファイルであってもよいし、スペース区切りのテキストファイルであってもよいし、表形式のファイルであってもよいし、デバイスＩＤ３０４及びオブジェクトＩＤ３０５ごとにオブジェクトを区別できるものであればどんな形式のファイルでもよい。
【０１０８】
（Ｆ）図１１に示す「連動元設定」画面３７０において、「値」欄３７６で「ＡＣＴＩＶＥ」及び「ＩＮＡＣＴＩＶＥ」のいずれかが選択されることにより連動元の動作が指定されたが、連動元の動作が入力枠のようなものに直接入力されることにより連動元の動作が指定されてもよい。図１２に示す「連動先設定」画面３８０において、「候補空調機」欄３８２に表示された空調機番号から連動先のオプジェクトが「追加」ボタン３８３により選択入力されることにより連動先が指定されたが、連動先が入力枠のようなものに直接入力されることにより連動先が指定されてもよい。図１２に示す「連動先設定」画面３８０において、「出力」欄３８５で動作を設定するオブジェクトが選択されて「動作」欄３８６で「運転」、「停止」、・・・のいずれかが選択されることにより連動先の動作が指定されたが、連動先の動作が入力枠のようなものに直接入力されることにより連動先の動作が指定されてもよい。
【０１０９】
（Ｇ）図１２に示す「連動先設定」画面３８０の「候補空調機」欄３８２に空調機番号が表示される際に、図２に示す連動情報記憶部２５にあらかじめ設定されている空調機システム群６０（６０ａ，６０ｂ，・・・）の空調機番号テーブルが参照されるものとしたが、空調機システム群６０（６０ａ，６０ｂ，・・・）の空調機番号テーブルは別の場所に設定され参照されてもよい。すなわち、図２に示す電子データ入力部２１から入力されることにより電子データ記憶部２２に記憶され参照されてもよいし、図１に示す管理装置５０や設備管理装置４０に記憶されイーサネット１０経由で参照されてもよい。あるいは、空調機システム群６０（６０ａ，６０ｂ，・・・）の空調機番号テーブルの代わりに、図２に示す電子データ記憶部２２に記憶されている図５に示すＣＳＶ形式の電子データのうちコメント行３０１，３０２が除かれた行３０３が参照されてもよい。
【０１１０】
（Ｈ）図６から図１３において、連動制御ごとに連動制御プログラム「会議室１０１空調機消し忘れ防止」、「会議室１０２空調機消し忘れ防止」、「会議室１０３空調機消し忘れ防止」、・・・があるものとしたが、連動制御プログラムは１つにまとまっていてもよい。この場合、連動制御プログラムが、主として複数の連動制御モジュール「会議室１０１空調機消し忘れ防止」、「会議室１０２空調機消し忘れ防止」、「会議室１０３空調機消し忘れ防止」、・・・を備えることになるため、本発明の構成により複数の連動制御「会議室１０１空調機消し忘れ防止」、「会議室１０２空調機消し忘れ防止」、「会議室１０３空調機消し忘れ防止」、・・・に関する設定の作業負担が低減される点は同様である。
【０１１１】
（Ｉ）図１に示す管理装置５０を無くして、連動制御装置群２０（２０ａ，２０ｂ，・・・）のいずれか１つ以上の装置が管理装置を兼ねてもよいし、設備管理装置４０が管理装置を兼ねてもよい。
空調機システム６０ａ，６０ｂ，６０ｃ，・・・は３つ以上でもよいし、３つ以下でもよい。各空調機システム６０ａ，６０ｂ，６０ｃ，・・・の室内機６２ａａ，６２ａｂ，・・・，６２ｂａ，６２ｂｂ，・・・，６２ｃａ，６２ｃｂ，・・・の数は、２つ以上でもよいし、２つ以下でもよい。各会議室１０１，１０２，１０３，・・・の鍵１１１，１１２，１１３，１１４，・・・の数は、２つ以上でもよいし、２つ以下でもよい。
【０１１２】
連動制御装置２０ａや連動制御装置２０ｂは、複数存在してもよい。すなわち、連動制御システム１は、連動制御装置２０ａや連動制御装置２０ｂの代わりに、連動制御装置群２０（２０ａ，２０ｂ，・・・）を備えてもよい。
表示画面は、図１に示す連動制御装置群２０（２０ａ，２０ｂ，・・・）に備えられていてもよいし、連動制御装置群２０（２０ａ，２０ｂ，・・・）に接続される端末に備えられていてもよい。図２に示す電子データ入力部２１・連動元入力部２４・連動元動作入力部２６・連動先入力部２７・連動先入力部２８に入力されるための入力インターフェースは、タッチパネル方式を採用してもよい。この場合、表示画面にユーザが手を触れることにより命令が感知される。あるいは、キーボードとマウスによるものであってもよいし、キーボードとトラックボールによるものであってもよいし、キーボードとジョイスティックによるものであってもよいし、電子ペンによるものであってもよいし、キーボードのみによるものであってもよいし、それらに類するものであってもよい。表示画面は、ブラウン管方式でもよいし、液晶方式でもよいし、それらに類するものであってもよい。
【０１１３】
図５に示すオブジェクトＩＤ３０５は、３２ビットのデータであり、上位１０ビットが図１１に示す「オブジェクト型」欄３９７に対応し下位２２ビットが図１１に示す「インスタンス番号」欄３９８に対応しているとしたが、別の仕方で対応していてもよい。例えば、図５に示すオブジェクトＩＤ３０５に一定の計算を施すことにより、図１１に示す「オブジェクト型」欄３９７や図１１に示す「インスタンス番号」欄３９８に入れるべき値が求められてもよい。あるいは、図５に示すオブジェクトＩＤ３０５から図１１に示す「オブジェクト型」欄３９７や図１１に示す「インスタンス番号」欄３９８に入れるべき値が一意に求められれば、どのような仕方で対応していてもよい。
【０１１４】
［第２実施形態］
本発明の第２実施形態にかかる連動制御システム２００を図１９に示す。また、本発明の第２実施形態にかかる連動制御システム２００の構成要素の構成図を図２０に示す。図１９及び図２０において、図１及び図２の連動制御システム２００の構成要素と同様の構成要素は同じ番号で示してある。
【０１１５】
この連動制御システム２００は、基本的な構造は第１実施形態と同様であり、空調機システム群６０（６０ａ，６０ｂ，・・・）や鍵群１１０（１１１，１１２，１１３，１１４，・・・）などをＬｏｎＷｏｒｋｓ（登録商標）ネットワーク２１０やクローズドネットワーク８０やクローズドネットワーク１２０などを経由して複数だけ連動制御する点も第１実施形態と同様であるが、イーサネット１０の代わりにＬｏｎＷｏｒｋｓネットワーク２１０が用いられている点で構成が異なる。ここで、ＬｏｎＷｏｒｋｓネットワークとは、ＬｏｎＴａｌｋプロトコルを採用したネットワークである。ＬｏｎＴａｌｋプロトコルについては後述する。
【０１１６】
空調機システム群６０（６０ａ，６０ｂ，・・・）にクローズドネットワーク８０で接続された連動制御装置２２０ａでは、図２０に示すように、送受信部２３０とプロトコル変換部２３１とが後述のＬｏｎＴａｌｋプロトコルに対応している点で第１実施形態と異なる。また、図１９に示す連動制御装置２２０ａと管理装置２５０と設備管理装置２４０とが後述のＬｏｎＴａｌｋプロトコルに対応している点で第１実施形態と異なる。
【０１１７】
ＬｏｎＷｏｒｋｓネットワーク２１０は、ＬｏｎＴａｌｋプロトコルを採用している点で第１実施形態と異なる。ＬｏｎＷｏｒｋｓネットワークでは、接続された機器はＬｏｎＷｏｒｋｓノードと呼ばれる。図１９に示す管理装置２５０と設備管理装置２４０と連動制御装置２２０ａとは、いずれもＬｏｎＷｏｒｋｓノードである。
ＬｏｎＷｏｒｋｓネットワーク２１０では、図２１に示すように、各ＬｏｎＷｏｒｋｓノードに複数のネットワーク変数（入力ＮＶａ，入力ＮＶｂ，・・・，出力ＮＶｃ，出力ＮＶｄ，・・・，出力ＮＶｅ，出力ＮＶｆ，・・・，入力ＮＶｇ，入力ＮＶｈ，・・・）が定義される。それらのネットワーク変数はバインディングによって互いに関連づけられる。図２１において、ネットワーク変数（入力ＮＶａ，入力ＮＶｂ，・・・，出力ＮＶｃ，出力ＮＶｄ，・・・，出力ＮＶｅ，出力ＮＶｆ，・・・，入力ＮＶｇ，入力ＮＶｈ，・・・）は白抜きの矢印で示され、その矢印の方向によって情報の伝達の方向が表される。ネットワーク変数（入力ＮＶａ，入力ＮＶｂ，・・・，出力ＮＶｃ，出力ＮＶｄ，・・・，出力ＮＶｅ，出力ＮＶｆ，・・・，入力ＮＶｇ，入力ＮＶｈ，・・・）の間を接続している実線は、実際の配線を表しているのではなく、バインディングされている様子を示している。
【０１１８】
ＬｏｎＷｏｒｋｓネットワーク２１０における通信は、ＬｏｎＴａｌｋプロトコルに従って行われる。すなわち、送信側のＬｏｎＷｏｒｋｓノードにおける出力用ネットワーク変数（出力ＮＶｃ，出力ＮＶｄ，・・・，出力ＮＶｅ，出力ＮＶｆ，・・・）に送信すべき情報が代入されると、受信側のＬｏｎＷｏｒｋｓノードにおけるバインディングされた入力用ネットワーク変数（入力ＮＶａ，入力ＮＶｂ，・・・，入力ＮＶｇ，入力ＮＶｈ，・・・）でその情報が受信される。つまり、ネットワーク変数は情報を伝送するための入れ物である。例えば、図１９に示す設備管理装置２４０において図２１に示す出力用ネットワーク変数（出力ＮＶｃ）に情報が代入されると、その情報が連動制御装置２２０ａに送信される。その情報は、連動制御装置２２０ａの入力用ネットワーク変数（入力ＮＶｇ）に受け取られ、連動制御装置２２０ａに受信される。
【０１１９】
ＬｏｎＷｏｒｋｓネットワーク２１０における情報の通信では、イーサネット１０とは異なり、送信先アドレスが指定される必要がない。バインディングを行った際に送信先アドレスが出力用ネットワーク変数（出力ＮＶｃ，出力ＮＶｄ，・・・，出力ＮＶｅ，出力ＮＶｆ，・・・）に設定されているからである。これによりピアツーピア（ｐｅｅｒ  ｔｏ  ｐｅｅｒ）の対等な通信が行われるので、ＬｏｎＷｏｒｋｓネットワークは分散制御ネットワークとも呼ばれる。したがって、異なるメーカの装置である連動制御装置２２０ａと設備管理装置４０との接続が可能となる点で第１実施形態と同様である。
【０１２０】
図５に示すＣＳＶ形式の電子データを記憶することにより、図５に示すＣＳＶ形式の電子データのうちコメント行３０１，３０２が除かれた行３０３を参照することが可能となり、連動元を選択入力することができる点も第１実施形態と同様である。したがって、このような連動制御システム２００によっても、複数の連動制御「会議室１０１空調機消し忘れ防止」、「会議室１０２空調機消し忘れ防止」、「会議室１０３空調機消し忘れ防止」、・・・に関する設定の作業負担が低減される。
【０１２１】
＜第２実施形態の変形例＞
（Ａ）図２１において、入力用ネットワーク変数（入力ＮＶａ，入力ＮＶｂ，・・・，入力ＮＶｇ，入力ＮＶｈ，・・・）と出力用ネットワーク変数（出力ＮＶｃ，出力ＮＶｄ，・・・，出力ＮＶｅ，出力ＮＶｆ，・・・）とが１対１に対応している場合が示されているが、１対１に対応していなくてもよい。すなわち、１つの入力用ネットワーク変数（入力ＮＶａ，入力ＮＶｂ，・・・，入力ＮＶｇ，入力ＮＶｈ，・・・）に複数の出力用ネットワーク変数（出力ＮＶｃ，出力ＮＶｄ，・・・，出力ＮＶｅ，出力ＮＶｆ，・・・）が対応していてもよい。複数の入力用ネットワーク変数（入力ＮＶａ，入力ＮＶｂ，・・・，入力ＮＶｇ，入力ＮＶｈ，・・・）に１つの出力用ネットワーク変数（出力ＮＶｃ，出力ＮＶｄ，・・・，出力ＮＶｅ，出力ＮＶｆ，・・・）が対応していてもよい。複数の入力用ネットワーク変数（入力ＮＶａ，入力ＮＶｂ，・・・，入力ＮＶｇ，入力ＮＶｈ，・・・）に複数の出力用ネットワーク変数（出力ＮＶｃ，出力ＮＶｄ，・・・，出力ＮＶｅ，出力ＮＶｆ，・・・）が対応していてもよい。入力用ネットワーク変数（入力ＮＶａ，入力ＮＶｂ，・・・，入力ＮＶｇ，入力ＮＶｈ，・・・）又は出力用ネットワーク変数（出力ＮＶｃ，出力ＮＶｄ，・・・，出力ＮＶｅ，出力ＮＶｆ，・・・）に、バインディングされていないネットワーク変数があってもよい。
【０１２２】
（Ｂ）ＬｏｎＷｏｒｋｓネットワーク２１０は、何らかの変数を介した情報の送受信を行うネットワークであれば、ＬｏｎＷｏｒｋｓ以外の方式のネットワークであってもよい。
（Ｃ）連動制御装置２２０ａは、複数存在してもよい。すなわち、連動制御システム１は、連動制御装置２２０ａの代わりに、連動制御装置群２２０（２２０ａ，２２０ｂ，・・・）を備えてもよい。
【産業上の利用可能性】
【０１２３】
本発明にかかる連動制御装置、連動制御システム、連動制御方法及び連動制御プログラムは、複数の連動制御に関する設定の作業負担を低減することができるという効果を有し、連動制御装置、連動制御システム、連動制御方法及び連動制御プログラム等として有用である。
【図面の簡単な説明】
【０１２４】
【図１】本発明の第１実施形態による連動制御システムの構成図。
【図２】本発明の第１実施形態による連動制御装置の構成図。
【図３】本発明の第１実施形態による設備管理装置の構成図。
【図４】連動制御システムが連動制御プログラムを設定する処理の流れを示すフローチャート。
【図５】電子データ入力部に入力される電子データの構成を示す図。
【図６】連動制御システムが連動制御プログラムを設定する際の表示画面の動作を示す図。
【図７】連動制御システムが連動制御プログラムを設定する際の表示画面の動作を示す図。
【図８】連動制御システムが連動制御プログラムを設定する際の表示画面の動作を示す図。
【図９】連動制御システムが連動制御プログラムを設定する際の表示画面の動作を示す図。
【図１０】連動制御システムが連動制御プログラムを設定する際の表示画面の動作を示す図。
【図１１】連動制御システムが連動制御プログラムを設定する際の表示画面の動作を示す図。
【図１２】連動制御システムが連動制御プログラムを設定する際の表示画面の動作を示す図。
【図１３】連動制御システムが連動制御プログラムを設定する際の表示画面の動作を示す図。
【図１４】連動制御システムが連動制御する処理の流れを示すフローチャート。
【図１５】連動制御システムが連動制御プログラムを設定する際の表示画面の動作を示す図。
【図１６】連動制御システムが連動制御プログラムを設定する際の表示画面の動作を示す図。
【図１７】連動制御システムが連動制御プログラムを設定する際の表示画面の動作を示す図。
【図１８】連動制御システムが連動制御プログラムを設定する際の表示画面の動作を示す図。
【図１９】本発明の第２実施形態による連動制御システムの構成図。
【図２０】本発明の第２実施形態による連動制御装置の構成図。
【図２１】連動制御システムにおいて情報が送受信される動作を示す概念図。
【符号の説明】
【０１２５】
１，２００  連動制御システム
１０  イーサネット
２０，２２０  連動制御装置群
４０，２４０  設備管理装置
５０，２５０  管理装置
６０  空調機システム群
７０  照明機器群
８０，９０，１２０  クローズドネットワーク
１１０  鍵群
【図１】
2005110168.tif 000003
【図２】
2005110168.tif 000004
【図３】
2005110168.tif 000005
【図４】
2005110168.tif 000006
【図５】
2005110168.tif 000007
【図６】
2005110168.tif 000008
【図７】
2005110168.tif 000009
【図８】
2005110168.tif 000010
【図９】
2005110168.tif 000011
【図１０】
2005110168.tif 000012
【図１１】
2005110168.tif 000013
【図１２】
2005110168.tif 000014
【図１３】
2005110168.tif 000015
【図１４】
2005110168.tif 000016
【図１５】
2005110168.tif 000017
【図１６】
2005110168.tif 000018
【図１７】
2005110168.tif 000019
【図１８】
2005110168.tif 000020
【図１９】
2005110168.tif 000021
【図２０】
2005110168.tif 000022
【図２１】
2005110168.tif 000023